(57)【要約】  本開示は、目の自動化された測定される矯正、ならびに視力が２０／２０以上である個人を含む個人用のサングラスおよび眼鏡の提供のための方法、装置、およびシステムを提供する。測定システムから離れた検査者による屈折の遠隔測定のための方法、装置、およびシステムも開示される。
2016500024.tif 000002
【特許請求の範囲】
【請求項１】
眼鏡の処方箋のために目の球面度数を判断するためのシステムであって、
患者の目の屈折データを得ることができるデータエントリモジュールを備え、前記データエントリモジュールは、ａ）装置から前記目の前記屈折データを手動でインポートすることと、ｂ）前記屈折データを含有する電子ファイルを読出すことと、のうち少なくとも１つのために構成され、前記屈折データは、球面度数ならびに円柱度数および円柱角を有する乱視を含み、さらに
目の乱視の屈折矯正のための複数の円柱レンズを有する乱視モジュールを備え、前記乱視モジュールは、組合せられた前記レンズについて前記円柱度数および円柱角に対する手動のかつ増分の調整が排除されるように構成され、さらに
近視、遠視、および老眼の屈折矯正のための複数の球面レンズを有する球面モジュールを備え、前記球面モジュールは各々の目毎に複数の焦点度数を与える増分調整のために構成され、さらに
前記球面モジュールおよび前記乱視モジュールに結合されるコントローラを備え、前記コントローラは、焦点度数の手動のかつ増分の調整を可能にし、かつ乱視の自動調整を可能にするように構成され、さらに
前記球面モジュールの手動のかつ増分の制御のための手動制御モジュールと、
印刷、表示、またはエクスポートの形態で屈折処方箋を提示するように構成される出力モジュールとを備え、前記屈折処方箋は、前記球面モジュールにおけるレンズの異なる設定についての自覚的応答に基づく球面度数と、前記データエントリモジュールからインポートされた円柱度数および円柱角とを含む、システム。
【請求項２】
前記乱視モジュールおよび前記球面モジュールは検査場所にあり、前記システムはさらに、
前記検査場所から離れた第２の場所にある遠隔制御のモジュールを備え、これにより前記システムは、ａ）遠隔データエントリと、ｂ）前記球面モジュールの遠隔調整と、ｃ）前記検査場所にいる前記患者と前記第２の場所にいる検査者との間の遠隔音声または映像通信と、のうち少なくとも１つのための電子接続を通じて制御され、
前記遠隔制御のモジュールは、ｉ）データエントリおよび転送のためのデータモジュールと、ii）前記患者と前記検査者との間の音声通信のためのモジュールと、iii）屈折プロセスのリアルタイムモニタのためまたは前記患者と前記検査者との間の通信のための映像モジュールと、のうち少なくとも１つを備える、請求項１に記載のシステム。
【請求項３】
前記目と前記システムの光軸との間の相対的位置をモニタするためのカメラシステムをさらに備え、前記光軸は前記球面モジュールおよび前記乱視モジュール中の前記レンズの中心である、請求項１に記載のシステム。
【請求項４】
目の位置決めのためのモジュールをさらに備え、前記目の位置決めのためのモジュールは、ヘッドレストと、前記ヘッドレストを複数の位置に位置決めするための運動制御システムとを備える、請求項１に記載のシステム。
【請求項５】
移動動作のための運搬システムをさらに備える、請求項１に記載のシステム。
【請求項６】
前記乱視の屈折矯正は連続的に変化し、０．１０Ｄよりも微細な分解能を有する、請求項１に記載のシステム。
【請求項７】
前記手動制御モジュールは自動調整のために前記患者にアクセス可能であるように構成される、請求項１に記載のシステム。
【請求項８】
焦点度数の増分調整のための量は０．２５Ｄまたは０．１２５Ｄであり、前記焦点度数は増減可能である、請求項１に記載のシステム。
【請求項９】
前記データエントリモジュールは、他覚的屈折装置を通して前記屈折データを受信するようにさらに構成される、請求項１に記載のシステム。
【請求項１０】
前記他覚的屈折装置は、球面収差を含む目の光学的特性のすべての収差を測定するための波面センサである、請求項９に記載のシステム。
【請求項１１】
前記屈折処方箋は前記波面センサからの前記球面収差をさらに含む、請求項１０に記載のシステム。
【請求項１２】
前記患者の２つの目を試験するため、２つの独立した乱視モジュールと２つの独立した球面モジュールとをさらに備える、請求項１に記載のシステム。
【請求項１３】
前記患者の２つの目の間のプリズムオフセットの測定のためのプリズムモジュールをさらに備える、請求項１に記載のシステム。
【請求項１４】
前記患者から支払情報を受付けるように構成される入力モジュールをさらに備える、請求項１に記載のシステム。
【請求項１５】
前記患者から配送情報を受付けるように構成される入力モジュールをさらに備える、請求項１に記載のシステム。
【請求項１６】
眼鏡またはサングラス用のフレームについての情報を受信するように構成される入力モジュールをさらに備える、請求項１に記載のシステム。
【請求項１７】
選択されたフレームを着用したまたは着用していない前記患者の写真を撮るカメラをさらに備える、請求項１６に記載のシステム。
【請求項１８】
眼鏡の処方箋のために目の屈折誤差を測定するための波面システムであって、
目の網膜にコンパクトな画像を発生するように構成される光源を備え、前記網膜からの反射光は、前記網膜の反射から前記目の角膜の前で外に出ていく波面を生成し、さらに
前記目から離れた測定平面で前記目から現われる波面を再生するための光学リレーと、
前記測定平面にある波面センサとを備え、前記波面センサは波面サンプリング装置およびデジタル画像モジュールを含み、前記デジタル画像モジュールは、前記波面サンプリング装置を通過する波面の画像を記録するように構成され、さらに
ａ）前記波面センサの複数の波面画像をメモリユニットに格納することと、ｂ）前記波面センサのサンプリング点の自動検出を行なうことと、ｃ）前記目の瞳孔両端で波面スロープを算出することと、ｄ）少なくとも焦点誤差、乱視、および球面収差を含む前記目の波面収差を判断することとを含む一連の波面測定を一度に取るように構成されるデジタルプロセッサと、
前記波面センサのサンプリング点の自動検出を用いて前記波面画像を表示するための表示モジュールと、
ｉ）前記一連の波面測定からの測定を検証しかつ受付けるように構成されるリアルタイム測定介入モジュールとを備え、前記測定検証は、分析された波面画像をディスプレイに表示することと、前記一連の波面測定中の無効な測定を拒絶することとを備え、さらに
前記一連の波面測定からの受付けられた前記測定からの統計的分析に基づいて球面度数および乱視を算出するためのデータ併合モジュールを備え、前記乱視は円柱度数および円柱角を備え、さらに
屈折処方箋を通信するように構成される出力モジュールを備え、前記屈折処方箋は少なくとも焦点度数、前記円柱度数、および前記円柱角を含む、波面システム。
【請求項１９】
前記リアルタイム測定介入モジュールは、ｉ）画像分析の自動識別の誤差と、ii）波面測定に不十分な瞳孔の大きさと、iii）涙液膜または瞬きによる前記波面センサの劣った画像品質と、による無効な測定を拒絶するためのポインティングデバイスを備える、請求項１８に記載の波面システム。
【請求項２０】
ｉ）前記波面センサ中の前記デジタルプロセッサと前記遠隔制御のモジュールとの間のデータ転送と、ii）検査場所にいる前記患者と前記波面センサから離れた前記検査者との間の遠隔音声または映像通信と、のうち少なくとも１つのための前記波面システムから離れた場所にいる検査者が前記波面システムを動作することができるような遠隔制御のモジュールをさらに備え、
前記遠隔制御のモジュールは電子ネットワークを通じて前記波面センサに接続され、前記遠隔制御のモジュールは、ｉ）データエントリおよび転送のためのデータモジュールと、ii）前記患者と前記検査者との間の音声通信のためのモジュールと、iii）前記屈折プロセスのリアルタイムモニタのためまたは前記患者と前記検査者との間の通信のための映像モジュールと、のうち少なくとも１つを備える、請求項１８に記載の波面システム。
【請求項２１】
目の位置決めのためのモジュールをさらに備え、前記目の位置決めのためのモジュールは、
ヘッドレストと、
前記ヘッドレストを複数の位置に位置決めするための運動制御システムと、
前記目と前記波面センサの光軸との間の相対的位置のリアルタイムモニタのためのカメラシステムとを備え、前記運動制御システムは前記デジタルプロセッサによって制御される、請求項１８に記載の波面システム。
【請求項２２】
前記屈折処方箋の通信は印刷、表示、またはエクスポートの形態である、請求項１８に記載の波面システム。
【請求項２３】
前記屈折処方箋の前記通信は、ａ）記憶装置中に前記処方箋のファイルを生成することと、ｂ）前記処方箋の前記ファイルをネットワーク通信を通じて別の装置に送ることと、ｃ）前記屈折データをフォロプターに通信することと、のうち少なくとも１つを備え、前記処方箋の前記ファイルは患者情報をさらに含んでもよい、請求項２２に記載の波面システム。
【請求項２４】
目の遠隔測定のための屈折系であって、
目の位置決めのためのモジュールを備え、前記目の位置決めのためのモジュールは運動制御され、かつヘッドレストと、前記ヘッドレストを複数の位置に位置決めするための運動制御システムと、前記目と前記屈折系の光軸との間の相対的位置のリアルタイムモニタのためのカメラシステムとを備え、さらに
前記目の屈折誤差を測定するための他覚的屈折装置を備え、前記屈折誤差は少なくとも円柱度数、円柱角、および球面度数を含み、さらに
前記目の位置決めのためのモジュールおよび前記他覚的屈折装置を制御するように構成されるデジタルプロセッサと、
前記デジタルプロセッサのための表示モジュールと、
検査者が前記他覚的屈折装置から離れた前記デジタルプロセッサを遠隔に制御する遠隔制御のモジュールとを備え、前記遠隔制御のモジュールは電子ネットワークを通じて前記屈折系に接続され、前記遠隔制御のモジュールは、ｉ）データエントリおよび転送のためのデータモジュールと、ii）患者と検査者との間の音声通信のためのモジュールと、iii）屈折誤差の測定のリアルタイムモニタのためのまたは前記患者と検査者との間の通信のための映像モジュールと、のうち少なくとも１つを備え、さらに
印刷、表示、またはエクスポートの形態で屈折処方箋を提示するように構成される出力モジュールを備え、前記屈折処方箋は少なくとも焦点度数、円柱度数、および円柱角を含む、屈折系。
【請求項２５】
前記目の球面度数の自覚的判断のためにフォロプターに結合されるように構成されるインターフェイスをさらに備え、インターフェイスは、
前記目の乱視の屈折矯正のための複数の円柱レンズを有する乱視モジュールを備え、前記乱視モジュールは、前記円柱レンズに対する手動のかつ増分の調整が排除されるように構成され、前記インターフェイスはさらに
近視、遠視、および老眼の屈折矯正のための複数の球面レンズを有する球面モジュールを備え、前記球面レンズは各々の目毎に複数の焦点度数を与えるように構成され、前記インターフェイスはさらに
前記球面モジュールに結合されるコントローラを備え、前記コントローラは特定された量だけ焦点度数の手動調整を可能にするように構成される、請求項２４に記載の屈折系。
【請求項２６】
前記患者から支払情報を受付けるように構成される入力モジュールをさらに備える、請求項２４に記載の屈折系。
【請求項２７】
前記患者から配送情報を受付けるように構成される入力モジュールをさらに備える、請求項２４に記載の屈折系。
【請求項２８】
眼鏡またはサングラス用のフレームの情報を受信するように構成される入力モジュールをさらに備える、請求項２４に記載の屈折系。
【請求項２９】
選択されたフレームを着用したまたは着用していない前記患者の写真を撮るように構成されるカメラをさらに備える、請求項２４に記載の屈折系。
【請求項３０】
眼鏡の処方箋のための目の遠隔測定のための屈折系であって、
目の屈折誤差の他覚的測定のための波面センサモジュールを備え、前記波面センサモジュールは、
目の網膜にコンパクトな画像を発生するように構成される光源を備え、前記網膜からの反射光は、前記網膜の反射から前記目の角膜の前で外に出ていく波面を生成し、前記波面センサモジュールはさらに、
波面サンプリング装置と、前記波面サンプリング装置を通過する、前記外に出ていく波面の画像を記録するためのデジタル画像モジュールとを含む波面センサを備え、前記屈折系はさらに
屈折矯正モジュールを備え、前記屈折矯正モジュールは、
前記目の乱視の屈折矯正のために複数の円柱レンズを有する乱視モジュールを備え、前記乱視モジュールは前記円柱レンズに対する手動のかつ増分の調整が排除されるように構成され、円柱レンズの選択および配置はデジタルコンピュータおよび前記波面センサから得られる前記乱視によって決まり、前記屈折矯正モジュールはさらに
近視、遠視、および老眼の屈折矯正のための複数の球面レンズを有する球面モジュールを備え、前記球面レンズは各々の目毎に複数の焦点度数を与えるように構成され、前記屈折系はさらに
ヘッドレストと、前記ヘッドレストを複数の位置に位置決めするための運動制御システムと、前記目と前記屈折系の光軸との間の相対的位置のリアルタイムモニタのためのカメラシステムとを備える目の位置決めのためのモジュールと、
前記屈折矯正モジュール、前記目の位置決めのためのモジュール、および前記波面センサモジュールの制御のために構成されるデジタルプロセッサとを備え、前記デジタルプロセッサは、ａ）複数の波面画像をメモリユニットに格納することと、ｂ）前記波面センサのサンプリング点の自動検出を行なうことと、ｃ）前記目の瞳孔両端で波面傾斜を算出することと、ｄ）少なくとも焦点誤差、乱視、および球面収差を含む前記目の波面収差を判断することとを含む一連の波面測定を一度に取るようにも構成され、前記屈折系はさらに
前記デジタルプロセッサのための表示モジュールと、
印刷、表示、またはエクスポートの形態で屈折処方箋を提示するように構成される出力モジュールと、
検査者が前記屈折矯正モジュールから離れた前記デジタルプロセッサを遠隔に制御する遠隔制御のモジュールとを備え、前記遠隔制御のモジュールは電子ネットワークを通じて前記屈折矯正モジュールに接続され、前記遠隔制御のモジュールは、ｉ）データエントリおよび転送のためのデータモジュールと、ii）患者と検査者との間の音声通信のためのモジュールと、iii）前記屈折プロセスのリアルタイムモニタのためのまたは前記患者と検査者との間の通信のための映像モジュールと、のうち少なくとも１つを備える、屈折系。
【請求項３１】
前記球面モジュールに結合されるコントローラをさらに備え、前記コントローラは特定された量だけ焦点度数の手動調整を可能にするように構成される、請求項３０に記載の屈折系。
【請求項３２】
前記患者から支払情報を受付けるように構成される入力モジュールをさらに備える、請求項３０に記載の屈折系。
【請求項３３】
前記患者から配送情報を受付けるように構成される入力モジュールをさらに備える、請求項３０に記載の屈折系。
【請求項３４】
眼鏡またはサングラス用のフレームの情報を受信するように構成される入力モジュールをさらに備える、請求項３０に記載の屈折系。
【請求項３５】
選択されたフレームを着用したまたは着用していない前記患者の写真を撮るように構成されるカメラをさらに備える、請求項３０に記載の屈折系。
【請求項３６】
眼鏡を配送するための方法であって、
第１の地理的場所にある第１の眼鏡店舗に個人の目の屈折誤差の遠隔測定のための測定ステーションを置くステップを備え、前記測定ステーションはネットワークに接続され、さらに
前記ネットワークを通じて前記第１の眼鏡店舗から離れた集中設備にいる検査者によって前記個人の前記目の屈折誤差を判断するステップを備え、前記検査者は法律または規定に従う認定光学検査者であり、さらに
眼鏡を作るための矯正データを生成するステップを備え、前記矯正データは前記矯正誤差に基づいており、前記矯正データは球面度数ならびに円柱度数および円柱角を有する乱視を含み、さらに
前記ネットワークを通じて前記矯正データを送信するステップと、
製造設備で前記眼鏡を製造するステップとを備え、前記製造は前記ネットワークを通じて送信される前記矯正データに基づいており、さらに
前記ネットワークから受信した配送情報に基づいて前記個人または前記眼鏡店舗に製造された眼鏡を配送するステップを備える、方法。
【請求項３７】
前記測定ステーションは、
他覚的装置を用いて前記個人の各々の目の前記屈折誤差の他覚的測定を得るように構成され、前記他覚的測定は前記ネットワークに接続されるコントローラを通じて演算され、前記測定ステーションはさらに、
各々の目の乱視の屈折矯正のための、個人が通し見るための矯正装置に複数の円柱レンズを入れるように構成され、前記円柱レンズは、前記乱視モジュールに対する手動のかつ増分の調整が排除されかつ円柱度数および円柱角の両方を含む乱視矯正が前記個人の各々の目からの得られた前記他覚的測定に基づいて自動的に制御されるように構成される乱視モジュールの中に位置し、前記測定ステーションはさらに
各々の目の近視、遠視、および老眼の屈折矯正のための、個人が通し見て視力表を読むための前記矯正装置に複数の球面レンズを入れるように構成され、前記球面レンズは球面モジュール中に位置し、かつ前記ネットワークを通じて前記検査者によってまたは前記焦点度数を手動で調整するように前記個人によって制御され、前記測定ステーションはさらに
自覚的屈折を通じて各々の目の焦点度数を判断するように構成され、前記自覚的屈折は、複数の焦点度数に対する前記個人からの前記視力表を読む際の自覚的応答、または前記検査者と前記個人との間のネットワーク通信に基づいて前記検査者によってなされた自覚的決定に基づき、前記遠隔通信は、電子接続を通じた音声、データ、または映像通信のうち少なくとも１つの形態にある、請求項３６に記載の方法。
【請求項３８】
各々の目の屈折誤差の他覚的測定を得るための前記他覚的装置は前記目のための波面センサであり、前記他覚的装置は、
前記目の網膜にコンパクトな画像を発生するように構成される光源を備え、前記網膜からの反射光は、網膜反射から、角膜の前で外に出ていく波面を生成し、前記他覚的装置はさらに
波面サンプリング装置と前記波面サンプリング装置を通過する前記外に出ていく波面の画像を記録するためのデジタル画像モジュールとを含む波面センサと、
ａ）複数の波面画像をメモリユニットに格納することと、ｂ）前記波面センサのサンプリング点の自動検出を行なうことと、ｃ）前記目の瞳孔両端で波面スロープを算出することと、ｄ）少なくとも焦点誤差、乱視、および球面収差を含む前記目の波面収差を判断することと、を含む一連の波面測定を一度に取るように構成されるデジタルコンピュータとを備える、請求項３７に記載の方法。
【請求項３９】
前記他覚的装置は目の位置決めのためのモジュールを含むようにさらに構成され、前記目の位置決めのためのモジュールは、
ヘッドレストと、
前記ヘッドレストを複数の位置に位置決めするための運動制御システムと、
前記目と前記波面システムの光軸との間の相対的位置のリアルタイムモニタのためのカメラシステムとを備える、請求項３７に記載の方法。
【請求項４０】
前記眼鏡店舗の店員は、前記法律または前記規定に従う目の屈折についての目の検査者として未認定である、請求項３６に記載の方法。
【請求項４１】
前記測定ステーションはさらに、前記ネットワークに接続される電子システムから前記個人が眼鏡用フレームを選択できるようにするように構成され、フレームの選択は前記個人の写真を撮るために用いられるデジタル画像化システムを含む、請求項３６に記載の方法。
【請求項４２】
前記製造設備で前記眼鏡を製造することは、カスタマイズされたレンズのためのレンズ生成器を用いてレンズを作ることを含む、請求項３６に記載の方法。
【請求項４３】
前記眼鏡はサングラスである、請求項３６に記載の方法。
【請求項４４】
前記測定ステーションは前記個人から支払情報を受付けるようにさらに構成される、請求項３６に記載の方法。
【請求項４５】
前記測定ステーションは前記個人から配送情報を受付けるようにさらに構成される、請求項３６に記載の方法。
【請求項４６】
前記測定ステーションは選択された眼鏡フレームを着用したまたは着用していない前記個人の写真を撮るようにさらに構成される、請求項３６に記載の方法。
【請求項４７】
前記選択された眼鏡フレームを着用したまたは着用していない前記個人の写真を撮ることは、インターネットに接続される装置を通じて達成される、請求項４６に記載の方法。
【請求項４８】
前記第１の眼鏡店舗とは異なる地理的場所にある複数の眼鏡店舗に置かれる複数の測定ステーションをさらに備える、請求項３６に記載の方法。
【請求項４９】
フランチャイズビジネスのために前記複数の眼鏡店舗を構成することをさらに備え、すべての地理的場所にあるすべての眼鏡店舗は、人の目を測定する、処方箋データを生成する、レンズを製造する、レンズをフレームに搭載する、および眼鏡を顧客に配送するために１つの標準化されたプロトコルを用いる、請求項４８に記載の方法。
【請求項５０】
前記矯正データは、前記個人の前記目の間の瞳孔距離と、前記眼鏡用のフレームについてのデータと、前記第１の眼鏡店舗または前記個人の前記配送情報と、のうち少なくとも１つをさらに含む、請求項３６に記載の方法。
【発明の詳細な説明】
【背景技術】
【０００１】
関連出願への相互参照
この出願は、２０１２年１１月２８日に出願された「目の自動化された測定ならびにサングラスおよび眼鏡の配送のための方法およびシステム」と題された米国特許出願第１３／６８７，３０９号の一部継続出願であり、これは、２０１１年５月２６日に出願された「目の屈折矯正のための方法および装置」と題された米国特許公開ＵＳ２０１１／０２２８２２５（ＵＳＳＮ１３／１１６，２６２）の一部継続出願であり、これは２００９年１１月３０日に出願された国際ＰＣＴ出願ＰＣＴ／ＵＳ０９／６６１４８の継続出願であり、これは、２００８年１２月１日に出願された米国仮特許出願第６１／２００，４９４号の利益および２００９年２月２０日に出願された米国仮特許出願第６１／２０８，０４５号の利益を主張し、これらのすべてが本明細書中に引用により援用される。
【０００２】
背景
人の目の屈折矯正は２つの一般的なカテゴリに特徴付けることができる。第１のカテゴリは、顕性屈折を用いて測定されるような目の焦点誤差および円柱誤差を矯正する視覚矯正の従来の方法である。第２のカテゴリは、他覚的波面センサを用いて測定される、焦点誤差、円柱誤差、球面収差、コマなどを含む目のすべての収差についての矯正を与える波面ガイド視覚矯正である。
【０００３】
視覚矯正の従来の方法は、単なる焦点誤差および円柱誤差の矯正に概念的に限られる。さらに、これは、どのように目の屈折誤差、特に目の円柱誤差、が顕性屈折によって決まるかという自覚的性質によっても拘束される。円柱誤差は乱視としても公知であり、これは円柱度数と円柱軸との両方を含むので、特定的な問題を生じさせる。
【０００４】
顕性屈折に関連付けられる少なくとも５つの制限的な要因が存在する。第１に、顕性屈折は、フォロプター（phoroptor）で利用可能なレンズによって制限される。なぜなら、顕性屈折は、矯正レンズを適用することおよび目の視覚を自覚的に検査することに依拠するからである。焦点誤差は通常、０．１２５ジオプター（Ｄ）という分解能に制限される一方で、円柱誤差は０．２５Ｄの分解能に制限される。第２に、円柱軸の自覚的判断には問題がある可能性がある。なぜなら、−僅か数度内の−円柱軸の僅かなばらつきが２Ｄを上回る円柱矯正について大きな性能差を生じる可能性があるからである。第３に、−検眼士または眼鏡業者などの−患者または実務者のいずれかによる人的な誤差を排除することができない。なぜなら、顕性屈折は複数の屈折矯正に対する患者の自覚的応答と、実務者によるそれらの自覚的応答の分析とに係るからである。第４に、顕性屈折は基本的に部分的な経験的屈折解決策である。なぜなら、顕性屈折を行なう実務者が、時間のかかる過程での屈折矯正のための終点を決めるからである。最後に、顕性屈折は時間のかかる過程でもある可能性がある。なぜなら、これは、焦点誤差、円柱度数、および円柱軸を含む３つもの独立変数による視覚最適化の、人による制御に依拠するからである。
【０００５】
顕性屈折の使用に関連付けられる欠点は、現在のレンズ製造技術の高い公差と相まって、広範な誤った視覚矯正に繋がってしまう。顕性屈折を用いた従来の視覚矯正方法の不正確さは、異なる実務者による同じ目の屈折処方箋において、および従来の視覚矯正のために普遍的に処方される−０．２５Ｄ程度に大きい−粗い円柱度数の分解能において大きな差が存在し得る状況に繋がってしまう。結果的に、今日の眼科業界において利用可能な眼科レンズも０．２５Ｄ分解能のレンズに限られる。従来の視覚矯正を用いた目の乱視の矯正は、従来の眼鏡レンズを作製する際の高い公差によってさらに複雑化してしまう。さらに、業界では、２０／２０という視力は、矯正の必要がない既に完璧なものであるとして受入れられている。
【発明の概要】
【課題を解決するための手段】
【０００６】
要約
発明の１つの局面では、目の屈折矯正を判断するための自動化された方法が提供される。
【０００７】
このように、本発明のある実施形態は、視力が２０／２０以上の個人を含む個人にサングラスを提供するための方法を提供し、方法は、１）個人以外の人からの必要な介入のない自動データ獲得のために構成される測定ステーションを提供するステップを備え、測定ステーションは、個人の各々の目からの波面収差の他覚的測定を得て、波面収差の得られた他覚的測定に従う複数のレンズを矯正モジュールに入れて個人が通し見て少なくとも１つの視力表を読み、かつ自覚的屈折を通して各々の目の焦点度数を判断するように構成され、自覚的屈折は個人からの複数の焦点度数に対する自覚的応答に基づき、さらに方法は、２）サングラスを作るための矯正データを生成するステップと、３）電子媒体を介してサングラスを作るためのデータを送信するステップとを備え、送信されたデータはサングラスを作るための少なくとも矯正データを含有し、さらに方法は、４）矯正データに基づいてサングラス用のレンズを製造するステップと、５）レンズをフレームに嵌めて仕上がったサングラスを生産するステップと、６）仕上がったサングラスを個人に提供するステップとを備える。
【０００８】
この実施形態のいくつかの局面では、提供されるサングラスは処方箋を必要としない医師処方箋不要サングラスである。いくつかの局面では、測定ステーションはさらに、各々の目毎に矯正モジュールを通して視力表を読む際の個人からの結果を受付けるように構成され、いくつかの局面では、測定ステーションはさらに、個人が矯正装置の焦点度数を手動で調整できるように構成される。いくつかの局面では、サングラスを作るためのデータを送信するステップはさらに、個人以外の人による検討およびチェックのために、ａ）個人の各々の目からの波面収差の得られた他覚的測定についての記録と、ｂ）複数の焦点度数について矯正装置を通して視力表を読む際の個人の結果と、のうち少なくとも１つを含む。
【０００９】
発明のこの実施形態のいくつかの局面では、測定ステーションはさらに、波面収差の他覚的測定から、測定される円柱度数および円柱軸を判断するように構成される。いくつかの局面では、測定ステーションはさらに、サングラスフレームの選択を個人に与えるおよび個人から受けるように構成される。いくつかの局面では、レンズについての生成された矯正データは、選択されたサングラスフレームの形状を考慮するように修正され、いくつかの局面では、測定ステーションはさらに、選択されたサングラスを着用したおよび／または着用していない個人の写真を撮るように構成される。
【００１０】
発明のいくつかの局面では、測定ステーションはさらに、個人から支払情報を受付けるように構成され、いくつかの局面では、測定ステーションはさらに、個人から配送情報を受付けるように構成される。
【００１１】
発明のいくつかの局面では、測定ステーションはさらに、レンズ作製者と通信し、かつカスタムレンズを製造するレンズ作製者に矯正データを転送するように構成され、いくつかの局面では、レンズ作製者は自動化される。さらに、ある局面では、測定ステーションは、自動化されたレンズ作製者と通信し、かつ個人からカスタムレンズを製造するレンズ作製者へ矯正データおよび配送情報を転送するように構成され、いくつかの局面では、測定ステーションはさらに、選択したサングラスフレームスタイルを個人に提供しかつ個人から受けるように構成される。
【００１２】
発明のこの方法のいくつかの局面では、自動化されたレンズ作製者はさらに、製造されたカスタムレンズを選択されたサングラスフレームに組付けるように構成され、この実施形態のいくつかの局面では、測定ステーションはさらに、個人から支払情報および配送情報を受付けるように構成される。
【００１３】
また他の局面では、レンズ作製者は自動化されない。他の局面では、各々の目毎の矯正データに基づいて、個人向けの既製品レンズが選択される。他の局面では、レンズは成形によってまたは機械加工によって製造される。
【００１４】
この実施形態のまた他の局面では、測定ステーションは、目についての焦点誤差および円柱誤差の屈折矯正を測定するための波面フォロプターを備え、波面フォロプターは、目の収差の他覚的測定を与え、瞳孔両端での波面スロープを測定し、かつ０．２５Ｄよりも微細な分解能で少なくとも円柱軸および円柱度数を含む目の波面収差を判断するための波面検知モジュールと、複数の球面レンズおよび円柱レンズならびに目の焦点誤差を自覚的に判断するための視力表を有するフォロプターモジュールとを備える。いくつかの局面では、円柱レンズは、波面検知モジュールからの収差の他覚的測定に従って設定され、自覚的に判断された焦点誤差は、目が視力表を見ることによる複数の焦点度数に対する個人による自覚的応答に基づき、いくつかの局面では、波面検知モジュールは小レンズアレイ波面センサを用いて目の収差を測定する。また他の局面では、他覚的測定はさらに、焦点誤差、球面収差、コマ、および他の高次収差を含み、円柱度数および円柱角は、目の瞳孔両端での判断された波面収差からの最適化された視覚について判断される。
【００１５】
本発明のまた他の実施形態は、個人以外の人からの必要な介入のない自動データ獲得のために構成される測定ステーションを提供し、測定ステーションは、個人の各々の目からの波面収差の他覚的測定を得て、波面収差の他覚的測定から、測定される円柱度数および円柱軸を判断し、判断された測定される円柱度数および円柱軸に従う複数のレンズを矯正モジュールに入れて個人が通し見て視力表を読み、かつ自覚的屈折を通して各々の目の焦点度数を判断するように構成され、自覚的屈折は複数の焦点度数矯正に対する個人からの自覚的応答に基づき、測定ステーションはさらに、各々の目の測定される円柱度数、円柱軸、および焦点度数を、カスタムレンズを製造するレンズ作製者にまたは既製品レンズの倉庫に通信するように構成される。
【００１６】
発明のこの実施形態の局面は、矯正モジュールを通して視力表を読む際の個人からの結果を受付けるようにさらに構成される測定ステーション、および／または個人が矯正モジュールの焦点度数を手動で調整できるようにさらに構成される測定ステーションを含む。他の局面では、測定ステーションは、個人以外の人による検討のためにデータを送信するようにさらに構成され、送信されるデータは、ａ）個人の各々の目からの波面収差の得られた他覚的測定についての記録と、ｂ）複数の焦点度数について矯正装置を通して視力表を読む際の個人の結果と、のうち少なくとも１つを含み、いくつかの局面では、測定ステーションはさらに、個人の写真を撮るように構成される。
【００１７】
発明の他の実施形態は、視力が２０／２０以上の個人を含む個人にサングラスを提供するためのシステムを提供し、システムは、個人の各々の目からの波面収差の他覚的測定を得て、波面収差の他覚的測定から、測定される円柱度数および円柱軸を判断し、判断された円柱度数および円柱軸に従う複数のレンズを矯正モジュールに入れて個人が通し見て視力表を読み、かつ自覚的屈折を通して各々の目の焦点度数を判断するように、個人以外の人からの必要な介入のない自動データ獲得のために構成される測定ステーションを備え、自覚的屈折は複数の焦点度数からの個人からの自覚的応答に基づき、システムはさらに、カスタムレンズを製造するレンズ作製者、または測定される円柱度数、円柱軸、および焦点度数に従って既製品レンズを提供するレンズ倉庫を備える。いくつかの局面では、システムはさらに、個人から支払および配送情報を受けるように構成されるデータベースを備える。
【００１８】
発明の他の実施形態は、視力が２０／２０以上の個人を含む個人にサングラスを提供するための方法を提供し、方法は、１）個人に測定ステーションを提供するステップを備え、測定ステーションは、自動的にかつ個人以外の人からの入力なしに、個人の各々の目からの波面収差の他覚的測定を得て、波面収差の他覚的測定から、測定される円柱度数および円柱軸を判断し、波面収差の他覚的測定からの判断された円柱度数および円柱軸に従う複数のレンズを矯正モジュールに入れて個人が通し見て視力表を読み、かつ自覚的屈折を通して各々の目の焦点度数を判断するように構成され、自覚的屈折は複数の屈折矯正に対する個人からの自覚的応答に基づき、方法はさらに、２）矯正データを生成してそれからレンズを製造するステップと、３）レンズを製造する、または矯正データに適切な既製品レンズの組を選択するステップと、４）レンズをフレームに嵌めて仕上がったサングラスを生産するステップと、５）仕上がったサングラスを個人に提供するステップとを備える。
【００１９】
本発明のまた他の実施形態は、個人以外の人からの必要な介入のない自動データ獲得のために構成される、処方箋サングラスまたは眼鏡のためのキオスクシステムを提供し、キオスクシステムは、目の収差の他覚的測定を与えるための波面検知モジュールを備え、波面検知モジュールは、瞳孔両端での波面スロープを測定し、かつ０．２５Ｄよりも微細な分解能で少なくとも円柱軸および円柱度数を含む目の波面収差を判断し、キオスクシステムはさらに、個人が通し見るための、複数の屈折矯正を提示するための視覚矯正モジュールを備え、複数の屈折矯正は、判断された波面収差に従う円柱度数および円柱軸ならびに個人によって手動で制御される複数の焦点度数矯正を含み、キオスクシステムはさらに、複数の焦点度数矯正下で目の視力を判断するための視力表と、複数の焦点度数矯正のための矯正モジュールを通して視力表を読む際の個人からの結果を受付けるマンマシンインターフェイスモジュールと、カスタムレンズを製造するレンズ作製者にまたは既製品レンズの倉庫にデータを通信するためのエクスポートモジュールとを備え、通信されたデータは、各々の目の測定される円柱度数、円柱軸、および焦点度数と、データ検討のための波面モジュールの記録と、複数の焦点度数矯正のための矯正装置を通して視力表を読む際の個人の結果と、のうち１つを含む。
【００２０】
発明の別の実施形態では、眼科用レンズを生産するための製造の方法が提供され、方法は、自動化された製造の方法を含む。第１のステップで、波面収差および焦点度数レンズを含む矯正データが測定ステーションによってレンズ作製者に送信され、レンズ作製者によって受信される。第２のステップで、半仕上げ半製品がレンズ作製者によって選択される。第３のステップで、半仕上げ半製品がレンズ作製者のところにあるレンズ表面仕上げシステムに置かれる。第４のステップで、測定ステーションから受信される矯正データおよび半仕上げ半製品のわかっている屈折性の組に基づいて、半仕上げ半製品の表面が表面加工されて、作製されたレンズを製作する。第５のステップで、作製されたレンズの屈折度数をレンズメータで測定して屈折度数と矯正データとの間の屈折誤差を判断する。最後のオプションのステップで、作製されたレンズの測定される円柱度数および矯正データの円柱度数が０．０１Ｄから０．０８Ｄの間の公差内になるまで、判断された屈折誤差に基づいて、作製されたレンズの表面が再加工される。
【００２１】
発明の好ましい実施形態の以下の詳細な説明から、本発明のさまざまな目的、特徴、局面、および利点がより明らかになるであろう。
【図面の簡単な説明】
【００２２】
【図１ａ】１つの実施形態に従う、目の自動化された測定される矯正およびサングラスまたは眼鏡の提供のための方法のフローチャートである。
【図１ｂ】実施形態に従う、目の屈折矯正を判断するための方法のフローチャートである。
【図２】屈折矯正を全く行なわない、２０／２０よりも良好な自覚的視力を有する正視眼の収差を示す図である。
【図３】屈折矯正を全く行なわない、２０／２０よりも良好な視力を有する正視眼のための合計収差の異なる収差の部分を示す図である。
【図４】実施形態に従う目の屈折矯正を判断するための方法のフローチャートである。
【図５】実施形態に従う眼科用レンズを示す図である。
【図６】実施形態に従う目の屈折矯正をプレビューするための方法の図である。
【図７】実施形態に従う目の自覚的屈折のためのフォロプターを示す図である。
【図８】実施形態に従う目の自覚的屈折のための別のフォロプターを示す図である。
【図９】実施形態に従う顕性屈折のための改良された方法のフローチャートである。
【図１０ａ】眼鏡の処方箋のために自覚的に目の球面度数を判断するための例示的な屈折系の概略図である。
【図１０ｂ】焦点度数、円柱度数、および円柱角の自覚的判断のための当該技術分野で公知のようなフォロプターの概略図である。
【図１１ａ】１つの実施形態の眼鏡の処方箋のための目の波面システムの概略図である。
【図１１ｂ】収差計とも呼ばれる目の従来の波面システムの概略図である。
【図１２】人の目の屈折誤差の遠隔測定のための屈折系の例示的な概略図である。
【図１３】１つの実施形態の、人の目の屈折誤差の遠隔測定のための集積された屈折系の概略図である。
【図１４】１つの実施形態の、目の屈折誤差を測定しかつカスタマイズされた眼鏡を配送する電子商取引方法のためのシステムを示す図である。
【図１５】図１４のシステムのための例示的な電子商取引方法のフローチャートである。
【発明を実施するための形態】
【００２３】
実施形態の詳細な説明
本開示の実施形態をここで詳細に参照する。そのうちの１つ以上の例を添付の図面に示す。各々の例は本技術の限定としてではなく、本技術の説明のために与えられる。実際に、本技術の範囲から逸脱することなく、本技術の修正および変形を行なえることが当業者には明らかであろう。たとえば、１つの実施形態の一部として示されるまたは記載される特徴を、またさらなる実施形態を生じるように、別の実施形態とともに用いてもよい。このように、本主題は、添付の請求項およびそれらの均等物の範囲内に入るような修正および変形をカバーすることが意図される。
【００２４】
本開示は、店舗または事務所などの場所における、当該場所から離れて位置する検査者による目の屈折誤差の遠隔測定のための屈折系に向けられている。遠隔測定は、たとえば電子商取引（ｅコマース）を可能にするように、インターネットなどのネットワーク接続を通じて行なわれる。人の目の屈折誤差の遠隔測定による眼鏡の配送のための方法および眼鏡のためのフランチャイズ店舗のための方法が開示される。
【００２５】
目の自動化された測定
本開示は、視力が２０／２０以上の個人の視覚矯正すら可能にするサングラスおよび眼鏡を提供する、自動化された方法、装置、およびシステムに向けられる。本開示は、非常に典型的には光学的矯正を与えないレンズを有するサングラスが「既製品として」販売される場合に正視眼の視覚矯正用のサングラスを提供するので、特に革命的である。サングラスは最も典型的には屈折矯正を与えないが、サングラスは紫外線に対する保護および明るい光による目の不快感からの保護を与えるので重要である。現在のサングラスは典型的に、眩しさを低減するための偏光、ならびに奥行き知覚の向上のための茶色および色忠実度のための灰色などのさまざまなレンズの色などのオプションも与える。本開示は任意の形状のフレームに適用可能であり、特に、包み込む形状のサングラス（またはゴーグル）に適用可能である。というのも、レンズは角膜に平行でないので、そのような構成については視覚の矯正が重要だからである。このように、サングラスの販売に対する従来の方策とは反対に、本開示は、視力が２０／２０以上の個人または視覚矯正のためにコンタクトレンズを装着する個人においてすら、向上した視覚矯正を可能にするサングラスを提供する自動化された方法、装置、およびシステムに向けられる。
【００２６】
正視は、無限遠にある対象が、中立のまたは弛緩した状態の目の水晶体に焦点がしっかり合っている視覚の状態として定義される。正常な目のこの状態は、角膜および水晶体の屈折度数と目の軸方向長さとが釣り合うと達成され、これは、光線を目の網膜上に正確に焦点合わせし、その結果、完璧な視覚となる。正視の状態の目は矯正を必要としない。しかしながら、正視眼は実際には完璧ではない。たとえば、図２および図３は、２０／２０から２０／１０の間の正視眼についての光学的不備が存在することを実証する。さらに、サングラスは正視者についての付加的な課題を与える。たとえば、暗くされたレンズによる低減された光レベルは、明るい光から曇ったまたは暗くされた状態への遷移で起こり得るように、問題を生じる可能性がある。
【００２７】
さらに、発明者は、２０／１０または２０／１２の視力の目の乱視（円柱誤差）が、目によっては、波面収差計によって測定されるような０．６０Ｄ程度に大きくなる可能性があること、ならびに２０／１０および２０／１２の目の乱視を矯正することがサングラスについての大きな医学的利点を示したこと、を示す付加的な臨床データを収集した。奥行き知覚と同様に、明るさとコントラストとの両者が向上したことが見出された。発明者は、焦点誤差および円柱誤差（乱視）の両方が重要であることを示す、視力が２０／２５、２０／２０、または２０／１６である個人のより多くの臨床データも収集した。視力が２０／２５、２０／２０、または２０／１６である目の乱視は、波面収差計で測定されるように、目によっては１．０Ｄ程度に大きくなる可能性があり、視力が２０／２５、２０／２０、または２０／１６である目の、目の焦点誤差および乱視を矯正すると、視力をライン２本から４本分向上させることができ、明るさ、コントラスト、および奥行き知覚が向上する。
【００２８】
図１ａは、１つの実施形態に従う、目の自動化された測定される矯正、ならびに個人へのサングラスまたは眼鏡の提供のための方法のためのフローチャートを示す。第１に、測定ステーションまたはキオスク１１０が設けられる。測定ステーションまたはキオスクは好ましくは、１）個人が座るのに快適な場所と、２）目の収差の他覚的測定を与えるための波面検知モジュールとを備え、波面検知モジュールは、瞳孔両端での波面スロープを測定し、かつ０．２５Ｄよりも微細な分解能で少なくとも円柱軸および円柱度数を含む目の波面収差を判断し、さらに測定ステーションまたはキオスクは、３）個人が通し見るための複数の屈折矯正を提示するための視覚矯正モジュールを備え、複数の屈折矯正は、判断される波面収差に従う円柱度数および円柱軸ならびに個人によって手動で制御される複数の焦点度数を含み、測定ステーションまたはキオスクはさらに、４）複数の焦点度数矯正の下で目の視力を判断するための視力表と、５）個人が測定ステーションと通信し、複数の焦点度数矯正について矯正モジュールを通して視力表を読む際の個人からの結果を受付け、かつオプションで個人から配送情報を受付けるマンマシン入力モジュールと、６）カスタムレンズを製造するレンズ作製者にまたは既製品レンズの倉庫にデータを通信するためのエクスポートモジュールとを備え、通信されたデータは、各々の目の測定される円柱度数、円柱軸、および焦点度数、データ検討のための波面モジュールの記録、または複数の焦点度数矯正について矯正装置を通して視力表を読む個人からの結果のうち少なくとも１つを含み、測定ステーションまたはキオスクはさらに、７）オプションで、選択されたサングラスフレームを着用したおよび／または着用していない個人の写真を撮るための画像モジュールと、８）オプションで、個人から支払情報を受付けるための電子支払モジュールとを備える。
【００２９】
測定ステーション１１０は、１）個人の各々の目からの波面収差の他覚的測定を得ることによって個人以外の人からの介入なしにデータを自動的に獲得し１１１、２）波面収差の他覚的測定から、測定される円柱度数および円柱軸を判断し１１２、３）判断された円柱度数および円柱軸に従う複数のレンズを矯正モジュールに入れて個人が通し見て視力表を読み１１３、４）個人が、矯正装置の焦点度数を手動で調整しかつ複数の焦点度数についての分解能目標を読めるようにし１１４、５）矯正モジュールを通して視力表を読む際の個人からの結果を受付け１１５、かつ６）オプションで、個人以外の人による検討のために電子媒体を介してデータを送信する１１６、ように構成され、送信されるデータは、ａ）個人の各々の目からの波面収差の得られた他覚的測定についての記録と、ｂ）複数の焦点度数について矯正装置を通して視力表を読む際の個人の結果と、のうち少なくとも１つを含む。
【００３０】
加えて、測定ステーション１１０は、自覚的屈折を通して各々の目の焦点度数を判断するように構成され、自覚的屈折は、測定ステーションが複数の焦点度数に対する個人からの自覚的応答を受けること１２０に係る。
【００３１】
本開示の測定ステーションは、波面測定に従う円柱矯正の下で焦点度数を判断する。円柱度数および円柱軸は両者とも、自覚的焦点度数に対して影響を有する。波面測定に従って円柱度数および円柱軸を判断することの利点は、自覚的屈折を測定するのに当該技術分野で典型的に用いられる２つの独立ノブを排除することを含む。これは、現行技術の矯正後の視覚の品質を与える。というのも、目は、目の波面収差の他覚的測定に従って乱視がないからである。目は異なる焦点に対応して、過剰矯正および矯正不足を回避する完璧な焦点度数を確実にすることができるので、焦点度数は自覚的に判断されなければならない。
【００３２】
本開示の自動化された測定ステーションは上述の多数の利点を与え、付加的な利点を与える。伝統的な屈折矯正は、焦点度数、円柱度数、および円柱角の少なくとも３つのパラメータについて自覚的屈折を要件とし、これらのパラメータはほとんどの場合、検眼士または眼鏡業者などの専門家によって測定される。取られた測定はしばしば複雑である。なぜなら、伝統的な機器は視覚最適化のための３つの独立したノブを有するからである−このように、そのような測定および計測を自動化することができない。しかしながら、本の方法および装置は自動化することができる。なぜなら、円柱角および円柱軸は、波面収差計を介して他覚的に精密に判断されるからである。従来の自動屈折検査が、焦点誤差、円柱誤差（円柱度数および円柱軸）、球面収差、コマ、および目の多数の他の高次収差によって生じる画像のかすみを区別することができないことが周知である。可能な限り鮮明な画像について人の視覚が従来の自動屈折計で最適化されると、目の円柱度数および円柱角の判断は、リアルタイム焦点誤差（目の調節）および目の他の収差、すなわち球面収差およびコマ、によって影響される。従来の自動屈折計とは異なり、波面収差計は、波面センサを通して独立して目のすべての収差を測定する。目の円柱度数および円柱軸の測定はこのように、調節などの目のリアルタイム焦点誤差によって、または球面収差、コマ、および多数の他の高次収差によって影響されない。波面収差計は、前例のない精密さで円柱角および円柱度数を与えるので、従来の顕性屈折においてのような自覚的検証の必要なく、それらを最終的な円柱度数および円柱軸として用いることができる。加えて、目は異なる距離に対応しなければならないので、任意の目の焦点度数を自覚的に判断しなければならない。目の屈折は１つのノブしか要件とせず、これは測定ステーションにいる個人の患者によって操作可能である。
【００３３】
本開示の測定ステーションの一部である波面センサは、指令により自動的に実行することができ、従来の自動屈折計とは異なり、これは、独立した検討のために波面センサ画像を提供することができるので、所望により光学専門家などの個人が後で波面測定を検証することができる。矯正レンズを作製するのに目の円柱度数および円柱角の自動測定を用いる場合、いくつかの実施形態では、検査される個人以外の人による独立した検証を有することが好ましい。波面画像およびそれらの分析は、別の個人が円柱角および円柱度数の自動測定が受入れ可能か否かを判断するように直接の証拠を与える。従来の自動屈折計は、独立した検証に必要な情報を有していない。加えて、目の焦点度数の検証および判断のためには、別の個人が複数の焦点度数について自覚的視力を検討することが好ましい。そうでない場合、目は異なる焦点度数に対応することができるので、最良の視力のみに基づいて検査対象の個人が判断する焦点度数が過剰矯正に繋がり、遠視に繋がってしまう可能性がある。いくつかの実施形態では、方法は、検査対象の個人以外の人が測定ステーションから送信されるデータを検討できるようにすることと、個人が測定ステーションへ遠隔にフィードバックデータを送って、自動測定の任意の誤差を補正するまたは自動測定を微調整できるようにすることとをさらに備える。
【００３４】
本開示の測定ステーションは付加的な機能性も与えてもよい。たとえば、測定ステーションは、考慮のために、物理的サンプルまたは仮想サンプルのいずれかであるサングラスフレームまたは眼鏡フレームの選択肢（異なるスタイルおよび／またはサイズおよび／または色）を個人に提示してもよい。さらに、測定ステーションは個人のデジタル写真を撮ってもよく、これにより個人は、測定ステーションが個人に与えるデジタル画像を用いて、異なるフレームスタイル、サイズ、および色を「仮想で」試すことができる。さらに、与えられるデジタル画像は、見た目およびファッションとは別の目的を果たしてもよい。たとえば、写真を撮る別の利点は、眼鏡のフレームが個人の顔の上に位置決めされるので、レンズが、−多かれ少なかれ個人の顔および選択されるフレームに一意に依存して−目に対して位置決めされることである。選択されるフレームスタイルおよびサイズについての情報と組合せた個人の顔写真を撮ることにより、測定ステーションに関連付けられるソフトウェアが個人の目の瞳孔とレンズの光心との整列を最適化できるようになる。測定ステーションに関連付けられ得る他の機能性は、測定ステーションが個人から支払を受付けること、（本開示の方法によって判断されるような、たとえば付加的な視覚矯正を有する処方箋に従う視覚矯正を与えるように）個人の処方箋情報を受付けること、個人から配送（たとえば発送）情報を受付けること、ならびにサングラスを２焦点、３焦点、およびプログレッシブレンズとして作ることができるように、老眼の個人の近見のための焦点度数を受付けることを含む。
【００３５】
図１ａの別のステップで、測定ステーション１１０によってまたは測定ステーションと通信するコンピュータによって、測定される波面収差および焦点度数（矯正データ）に基づく矯正データが生成される。次に、別のステップで、（デジタル画像、処方箋、支払、配送、および／または任意の他の関係のデータなどの他のデータとともに）矯正データ１３０が、測定ステーション（または測定ステーションと通信するコンピュータ）から電子媒体を介してレンズ作製者に送信される。
【００３６】
レンズ作製者は、手作業でのレンズ作製者であってもよく、または自動化されたレンズ作製者であってもよい。本明細書中では、レンズ作製の説明を、「屈折矯正のための高精密円環体レンズ」と題されたセクションで、図５の説明に関連して行なう。本質的に、レンズは、成形（molding）または機械加工またはその２つの組合せによって製造される１４０。たとえば、半完成レンズ半製品は、ある範囲の矯正を与える「一般的」レンズであり、次に典型的に、個人のための矯正データ（または処方箋）に基づいて精密な仕様にカスタムで仕上げられる。本開示は、自動化、半自動化、または手作業レンズ作製者にデータを送信することを企図し、この場合、レンズは、測定ステーションがレンズ作製者に送信する矯正データに少なくとも基づいて製造される。レンズを作製することに加えて、レンズ作製者は、サングラスまたは眼鏡のフレームにレンズを嵌めることがある１５０。最終的に、仕上がったサングラスまたは眼鏡が個人に提供される１５０。製造ステップおよび嵌めるステップと同様に、仕上がったサングラスまたは眼鏡を個人に提供することは、たとえば、個人が与える、測定ステーションに入力される、またはそれ以外のやり方で個人が提供する配送情報に基づく自動化されたプロセス、半自動化されたプロセス、または手動プロセスであってもよい。
【００３７】
目の屈折矯正を判断するための改良された方法
図１ｂは、図１ａのステップ１１１、１１２、および１２０に従う、目の波面収差の他覚的測定および目の焦点誤差の自覚的測定に基づいて目の屈折矯正を判断するための改良された方法のフローチャートを示す。この改良された方法は、最適化された乱視のない屈折矯正の発生を可能にするので、正常な人の目の大多数が、従来の２０／２０の代わりに２０／１０という視力を達成することができ、かつこの改良された方法は、矯正され向上した視覚を有する、視力が２０／１０の個人すらももたらす。
【００３８】
第１に、ステップ１０で、目のすべての収差の他覚的測定を得る。この場合、すべての収差が波面収差Ｗ（ｘ，ｙ）で表現される。第２に、ステップ１１で、測定された焦点誤差および円柱誤差の除去を通じて目の視覚を最適化することによって、得られた波面収差から他覚的な球面円柱矯正を判断する。他覚的な球面円柱矯正は、焦点誤差、円柱度数、および円柱軸を備える。第３に、ステップ１２で、自覚的屈折を通して目の焦点誤差を得る。この場合、自覚的屈折は、複数の屈折矯正に対する自覚的応答に基づいて目の視覚成績を測定することを含む。最後に、ステップ１３で、他覚的に判断された円柱度数と、他覚的に判断された円柱軸と、自覚的に判断された焦点誤差とを組合せることによって、眼科用レンズまたは屈折手順のための屈折矯正データが生成される。
【００３９】
記載される方法は、従来の視覚矯正と比較して多くの利点を有する。第１に、ちょうど目の球面収差およびコマなどの他の高次収差のように、０．０２５Ｄ程度に低い目の円柱誤差を精密に判断することができる。なぜなら、屈折プロセスは、フォロプター中の限られた円柱レンズと、検査対象の被験者による、異なる円柱矯正の間の微細な差についての自覚的フィードバックと、実務者が用いる自覚的最適化策とに依存しないからである。第２に、円柱軸を精密に判断することができ、かつ目の算出される画像品質から円柱軸の誤差の公差を判断することができる。最後に、視覚の最適化は、顕性屈折における特定的な状況にもはや限られない。代わりに、仮想最適化を適用して、屋外視覚、室内視覚、および暗視の視覚シミュレーションを用いることにより、異なる瞳孔サイズでの視覚の異なる状態を考慮することができる。
【００４０】
ウィリアムズ（Williams）およびリャン（Liang）による米国特許第５，７７７，７１９号に記載のような波面収差計を用いた他覚的波面屈折に対して、記載の方法は、他覚的屈折を用いた目の焦点誤差の測定という課題にも対処する。波面収差計のような他覚的波面センサは焦点誤差を正確に測定することができるが、２つの理由により、測定された焦点誤差が目の遠視にとって最良であることを保証することができない。第１に、人の目は、異なる見える距離で水晶体によって焦点度数を変更することが公知であり、これは調節とも呼ばれている。他覚的波面センサは、１つの特定の調節状態で目の焦点度数を測定することしかできない。第２に、他覚的収差計のような他覚的波面センサは、他覚的屈折の際に患者が快適なままであることを確実にするように、しばしば赤外スペクトル中の光の１つの特定の波長で目の焦点誤差を測定することしかしない。調節遠点について目の最良の焦点を判断するためには、知覚についての色収差を考慮しなければならない。したがって、他覚的屈折計から得られる焦点誤差は、測定される目の約２０％についてしか、＋０．１２５Ｄ内の調節遠点についての真の焦点誤差であることができない。
【００４１】
目の約４０％は、他覚的屈折計から導出される焦点誤差に基づく矯正不足であり、これは、２０／２０を下回る視力に繋がってしまう。同時に、別の４０％は、他覚的屈折計から得られる焦点誤差に基づいて過剰矯正され、これは、屈折矯正後の遠視に繋がってしまう。本開示に従ってここで論じる、屈折矯正を判断するための改良された方法は、自覚的な方策を用いて他覚的屈折計からの焦点誤差を改定し、こうして目の調節遠点の最適化された屈折のために調節および色収差の両方を考慮する。
【００４２】
屈折矯正を判断するための記載の改良された方法は、眼科用レンズを作る前であっても、ステップ１４のように、視覚矯正のプレビューをさらに含むことができる。視覚の予測は、視力表の渦巻き網膜画像、算出された変調伝達関数、算出された点広がり関数、および夜間症状のシミュレーションを含んでもよい。特定的な屈折矯正を受付けるまたは選択するために、算出された視覚成績を患者および実務者に示すことができる。
【００４３】
屈折矯正を判断するための記載の改良された方法は、あらゆる目についての最適化された乱視のない屈折を可能にする。目の円柱誤差の完璧な矯正は、矯正された目の視力に対して大きな影響を及ぼすことができる。図２は、２０／２０よりも視力がよい、２００超の目の円柱誤差および合計収差を示す。すべての検査された目は、屈折矯正の全くない生来の正視である。各々の目の円柱誤差および合計収差は他覚的波面センサで測定され、視力の自覚的測定の際に各々の目毎に瞳孔サイズに基づいて算出される。視力測定の瞳孔サイズは２．５ｍｍ〜４．５ｍｍの範囲にわたり、平均瞳孔サイズは３．７ｍｍである。図２中のエラーバーは、測定された母集団についての１つの標準偏差である。
【００４４】
図２に見られるように、他覚的に測定された円柱誤差と自覚的に測定された視力とは相関する。さらに、円柱誤差が自覚的視力を判断する際の支配的な要因であることが明らかである。
【００４５】
図３は、生来正視である目の視力についての円柱誤差の重要性も強調する。図３は、未公開の臨床研究における４つの視力グループ中の正視眼についての合計収差の異なる収差の平均的割合を示す。視力検査では、円柱誤差が正視眼の全収差の６０％〜８０％を占めることがわかる。コマは１０％〜２０％のはるかにより小さな寄与を有する一方で、球面収差による視力に対する影響は無視できる程度である。
【００４６】
図２および図３のデータから、目の円柱誤差を矯正する際の品質が自覚的視力に大きな影響を有すると結論付けることは難しくない。２０／１０または２０／１２という視力は通常、円柱誤差の単なる完璧な矯正によって達成可能である。夜間の視覚に重要ではあるものの、コマ、球面収差、および他の高次収差の付加的な矯正は、大多数の正常な人の目にとって視力に対して無視できる程度の影響しか有しない。
【００４７】
目の円柱誤差の完璧な矯正は、目の円柱誤差の測定および明確化を要件とする。したがって、たとえば０．０２５Ｄなど、従来の０．２５Ｄという分解能よりもはるかに微細な円柱度数を特定することが必要である。
【００４８】
他覚的測定で円柱軸を記録することも重要である。円柱軸を記録するための１つの実施形態は、円柱誤差の他覚的測定が行なわれている間に目のデジタル写真を記録することである。デジタル写真を後に用いて、目における眼科用レンズの載置を補助する、または眼科用レンズの適切な向きを確認することができる。
【００４９】
屈折矯正を判断するための記載の方法は、高度なレンズ作りのための本願にも記載される革新と組合されると、従来の顕性屈折に基づく視覚矯正のための従来の方法よりも視機能で優れている乱視のないカスタマイズされた屈折矯正を可能にする。
【００５０】
本開示の１つの実施形態では、乱視のないカスタマイズされた屈折矯正を得るための方法は以下のようなステップを備える。第１に、目の波面収差が他覚的に得る。この場合、波面収差は、目の焦点誤差、乱視、コマ、および球面収差を含む。他覚的に目の波面収差を得ることは、ウィリアムズおよびリャンによる米国特許第５，７７７，７１９号に記載のような他覚的収差計のような装置を用いて目の波面収差を測定することによって達成可能である。第２に、他覚的に得られた波面収差から円柱度数および円柱軸を判断する。円柱度数についての分解能は、たとえば０．０２５Ｄなど、０．２５Ｄよりも微細でなければならない。判断された円柱度数の仕様は、０．０１Ｄ〜０．１Ｄの間の分解能を有する。円柱軸も精密に判断しなければならない。第３に、自覚的屈折を通して目の焦点度数を判断する。自覚的屈折は、測定ステーションまたはキオスクによって個人の患者に提示されるフォロプターの使用を通して達成可能である。第４に、他覚的に判断される円柱度数および円柱軸と自覚的に判断される焦点度数とを組合せることによって、眼科用レンズのためまたは屈折手順のための屈折処方箋が生成される。第５に、判断される円柱度数、円柱軸、および焦点度数に最も密に相関する予め作られたレンズが、そのようなレンズの在庫から選択されるか、または高精密円柱度数を有する生成された高精密屈折矯正に基づいて、カスタマイズされた眼科用レンズが作製される。好ましい実施形態では、円柱度数はたとえば０．０２５Ｄなど、０．２５Ｄよりも微細な分解能を有し、公差は０．０１Ｄ〜０．０５Ｄの間である。加えて、屈折矯正は、波面収差から判断される球面収差をさらに含むことができる。いくつかの目で球面収差を低減すると、眩しさおよびかすみなどの公知の夜間の症状を有する目にとっては特に、夜間の視覚を向上させることができる。
【００５１】
図１ｂの別の実施形態における、目の焦点誤差の完璧な矯正のための簡略化された方法を図４に示す。この実施形態は、球面収差およびコマなどの高次収差を測定することには係らない。第１に、ステップ４１で、自覚的応答全くなしに、他覚的手順を用いて目の円柱誤差を判断する。円柱誤差を判断する際の向上した精度のために、ステップ４１の他覚的手順は、２．５ｍｍ〜４ｍｍの瞳孔の瞳孔サイズの目の屈折性を測定すること、および複数の独立した他覚的測定値についての平均測定値を取ることに係ってもよい。第２に、ステップ４２で、複数の屈折矯正に対する自覚的応答に基づいて目の視覚成績を測定する自覚的屈折を通して、目の焦点誤差を判断する。第３に、ステップ４３で、判断された円柱屈折誤差と判断された焦点誤差とを組合せることよって、眼科用レンズを選択するまたは製造するのに用いられる矯正データが生成される。この場合、円柱誤差は、たとえば０．０２５Ｄなど、伝統的な０．２５Ｄよりも小さい、より微細な分解能を有する。
【００５２】
屈折矯正のための高精密円環体レンズ
従来の顕性屈折における限界のために、今日の眼科用レンズは０．２５Ｄという円柱度数分解能で作られる。現実の眼鏡レンズを用いた人の目の乱視の矯正はさらに複雑である。なぜなら、レンズは現実に、低度数レンズについての＋０．０９Ｄから高度数のレンズについての＋０．３７Ｄまで、比較的大きな公差で作られるからである。したがって、乱視のないカスタマイズされた屈折矯正のための眼鏡レンズを、より高度な技術を用いて作らなければならない。
【００５３】
図１ａは、測定ステーションによって生成されかつ送信される矯正データに基づいてレンズを製造するステップを提供する。今日の眼鏡レンズは、レンズ成形またはコンピュータ制御された旋盤を用いるレンズ機械加工のいずれかを用いて作られる。通常の屈折範囲（−６Ｄ〜＋６Ｄの間の球面度数）の大多数の眼鏡レンズについては、レンズは典型的にまとめて成形され、研究室またはレンズ店に備えられる。２つのレンズ型が必要であり、一方の型は形状が球面または非球面であるベースカーブを有し、他方の型は、眼鏡レンズが円柱度数を有していれば円環形状を有する。屈折度数が通常の範囲を超えるレンズについては、レンズは通常、まとめて成形されかつ工場に備えられる半完成レンズ半製品から作製される。半完成レンズ半製品は、球面または非球面カーブの仕上げベース面と、レンズ処方箋およびベース面の屈折力に基づいて表面加工される頂部処方箋または機械加工可能面とを含有する。作製されたレンズが円柱度数を有する場合、頂面は円環形状を有する。
【００５４】
円柱度数を有する成形レンズおよび機械加工レンズの両方について、仕上がったレンズは、形状が球面または非球面のベースカーブと、円柱度数を有するカスタムレンズについては形状が円環の処方箋または機械加工可能カーブとからなる。ベースカーブはしばしば５〜８つの可能な表面形状のうち１つに設定される一方で、処方箋または機械加工可能面は、組合されたレンズが従来の０．２５Ｄという分解能を有する球面度数および円柱度数の異なる組合せを矯正するように、数百のカーブのうち１つの形状を取れなければならない。
【００５５】
０．２５Ｄの代わりに０．０２５Ｄという微細な円柱分解能を有する眼鏡レンズについては、製造者は、１つの円環面を有する従来のレンズ形状を用い続ける場合は、１０倍多くの処方箋カーブを必要とするであろう。理論上は可能であるが、１つの円環面を用いて乱視のない矯正のためのカスタムレンズを作ることは、必要となるであろう膨大な数の型のために、ひどく高価となるであろう。
【００５６】
図５は、乱視のないカスタマイズされた屈折矯正のための、本開示に従う新規の眼鏡レンズを示す。本開示の１つの実施形態では、レンズは、従来のレンズで用いられる伝統的なベースカーブの修正版である円環面５１を備える。０．２５Ｄを下回る分解能で円柱度数を微調整するために、少量の円柱度数（＜０．２５Ｄ）を伝統的なベースカーブに加えることができる。他方の円環面５２は、０．２５Ｄの分解能で０．００Ｄ〜６．００Ｄの範囲にわたる円柱度数を有する従来の円環体レンズを作るのに用いられるのと同じであり得る。ベースカーブと処方箋または機械加工可能カーブとの両方は、ちょうど従来の円環体レンズのような斜乱視を低減するための非球面特性も有することができる。
【００５７】
０．０２５Ｄ程度に微細な円柱度数を微調整するのに２つの実施形態を用いることができる。実施形態の一方は、２つの円柱軸間の角度を調整し、それにより０．０２５Ｄ程度に微細な円柱度数分解能を達成する、ベースカーブでの０．２５Ｄまたは０．１２５Ｄの固定された円柱度数に基づいている。他方の実施形態は、ベースカーブおよび処方箋カーブからの円柱度数を組合せて、これにより０．０２５Ｄ程度に微細な円柱度数を達成する、各々のベースカーブ毎の複数の円柱度数（０．０２５Ｄ、０．０５Ｄ、０．０７５Ｄ、０．１０Ｄ、０．１２５Ｄ、および０．２Ｄ）に基づいている。第２の実施形態では、設計される円柱度数を達成するように２つの円環面の軸を一致させる、または円柱度数のさらなる調整のために僅かに異なるようにすることができる。
【００５８】
両者が円柱度数を有する２つの円環面を有するレンズを製造するには、２つの円柱軸の向きを制御して所望の円柱度数を達成することが重要である。眼鏡レンズが２つの円環型を用いて成形される場合、各々の型は機械読取可能マークを有することができる。２つの型は、ともに合わされてレンズを成形するための空洞を形成する前にそれらの円柱軸上で整列されなければならない。２つの円環面についてレンズが機械加工される場合、半完成半製品は、仕上げ面の円柱軸を示す機械読取可能マークを含有することができる。機械加工面の円柱軸は、予め仕上げられた表面の軸に対して精密に制御されなければならない。
【００５９】
別の実施形態では、図５の眼科用レンズを、目の球面収差の矯正のために中心視野において球面収差を誘導するようにさらに構成することができる。これは、光軸の周りに非球面成分を有する２つの円環面のうち１つを形作ることによって達成可能である。
【００６０】
図５の眼科用レンズを、低減された軸外ザイデル収差のために、光軸から離れる非球面形状を有するようにさらに構成することができる。これを、２焦点レンズまたはプログレッシブレンズ向けに構成することもできる。
【００６１】
円環面の円柱軸を配置することによる円柱度数の制御
微細な分解能の円柱度数は、粗い度数を有する２つの円環面の円柱軸を配置することによって達成することができる。本開示に従うと、方法は２つの円環面を要件とし、２つの面のうち一方は１つの方向ΦA1に支配的な円柱度数を有する一方で、他方の面は異なる向きΦA2に小さなバイアス円柱度数を有する。２つの円柱軸同士の間の角度はによって測定される。
【００６２】
組合された円柱度数を分析式で表現することができる。
【００６３】
【数１】
2016500024.tif 000003
【００６４】
ＳＱＲＴは平方根の数学演算子である。組合された円柱度数ΦＡは、２つの円柱軸同士の間の角度に依存して、（ΦA1−ΦA2）と（ΦA1＋ΦA2）との間である。一例では、支配的な円柱度数ΦA1が１．０Ｄという円柱度数を有しかつバイアス円柱度数が０．１２５Ｄであれば、これらの２つのベース円柱度数を用いて、０．８７５Ｄ〜１．１２５Ｄの間の微細な分解能の任意の円柱度数を得ることができる。別の例では、０．２５Ｄというベースバイアス円柱度数と、０．２５Ｄ、０．７５Ｄ、１．２５Ｄ、１．７５Ｄ、２．２５Ｄ、２．７５Ｄ、３．２５Ｄ、３．７５Ｄ、４．２５Ｄ、４．７５Ｄ、５．２５Ｄ、５．７５Ｄという１２のベース支配的円柱度数とを用いて、０．２５Ｄよりも微細な分解能を有する０．００Ｄ〜６．００Ｄの間の任意の円柱度数を達成する。
【００６５】
異なる円柱軸に配置される２つの円柱要素を用いて円柱度数を有するレンズを作ることに関連付けられる少なくとも３つの利点が存在する。第１に、２つの円柱軸の相対的な向きを配置することによって高分解能調整可能円柱度数を達成することができる。製造プロセスでは、２．５度内に２つの円柱軸を制御することは、０．０２Ｄ内の表面形状の精密な制御と比較して、比較的容易である。第２に、限られた数のベース型しか必要でないので、円柱度数の微細な分解能の円柱レンズを作ることが劇的に簡略化され、低コストとなる。第３に、１つのバイアス度数またはほんの２、３のバイアス円柱度数を有するすべてのレンズを作製することによって、高速のプロセスを達成することができる。次に、ちょうど限られた数の円柱度数を有する従来のレンズのように、高品位レンズをカスタムで製造することができる。２つの円柱軸同士の間の相対的な角度にのみ注意を払う必要がある。
【００６６】
さまざまな向きに２つの円柱度数を配置すると、ベース球面度数に対する可変の焦点オフセットを生じさせることに言及しなければならない。誘導される球面度数は
【００６７】
【数２】
2016500024.tif 000004
【００６８】
として表現することができ、式中、ΦA1、ΦA2、およびΦＡはそれぞれ、支配的円柱度数、バイアス円柱度数、および組合せ円柱度数である。合計焦点変化は２つの円柱軸同士の間の角度に依存し、２つの円柱軸同士の間の角度の全範囲が９０度である場合は、バイアス円柱度数程度に大きくなり得る。焦点のオフセットのために、０．２５Ｄという分解能を有する従来のレンズを作るのには、この円柱制御方法を用いることができない。
【００６９】
バイアス円柱度数が０．２５Ｄ未満である場合、眼鏡レンズの焦点変更には、２つの異なるやり方で対処可能である。第１に、大きな調節範囲を有する目については、式（２）の焦点変更を合計球面度数に因数分解することができる。第２に、調節を全くまたはほとんど有しない目については、式（２）中の誘導される焦点オフセットを低減するには、１つよりも多くのバイアス度数が必要である。この場合、組合せ円柱度数を微調整するには、５〜１０のバイアス度数が必要となることがあり、小さな角度範囲を用いてもよい。
【００７０】
円柱度数を精密に制御したレンズを作ることに加えて、記載の２つの円柱度数を配置する方法は３つの他の適用例を有する。第１に、バイアス円柱度数および支配的円柱が製造誤差を有することがわかっていても、円柱度数の精密な制御を達成可能である。バイアスおよび支配的円柱度数の誤差を排除するために、補償角を算出することができる。第２に、記載の原則を用いて、乱視のないカスタム視覚矯正のプレビューのための改良されたフォロプターを構築することができる。第３に、カスタマイズされた人工水晶体を作るのにもこの方法を用いることができる。
【００７１】
カスタマイズされた高精密円環体レンズを作るための閉ループ法
乱視のない屈折矯正のためのカスタマイズされた眼鏡は、今日の研究室で既存の技術を用いて製造することができない。なぜなら、今日の眼鏡レンズは、０．２５Ｄという粗い分解能および搭載眼鏡レンズの光学的性質についての公差の英国標準（ＢＳ２７３８−１：１９９８）に図示されるような＋０．０９Ｄ〜＋０．３７Ｄの間の粗い公差で製造されるからである。乱視のないカスタマイズされた屈折矯正のための高精密レンズを作るには、新規の方法が必要である。
【００７２】
本開示に従う人の目の高品位屈折矯正のためのカスタマイズされた円環体レンズを作製するための方法は閉ループプロセスを利用するであろう。第１に、製造者は、たとえば０．０２５Ｄなどの０．２５Ｄよりも微細な分解能の球面度数および円柱度数を有する円環体レンズの製造のために、カスタム矯正データを受けるであろう。第２に、眼科用レンズを作るために用いられる材料および得られた屈折矯正データに基づいて、レンズについての所望の表面プロファイルが判断されるであろう。第３に、レンズ成形によってまたは判断された表面プロファイルに基づいて半完成半製品を表面加工することによって、カスタマイズされた円環体レンズが作製されるであろう。第４に、各々の作製されたカスタムレンズがレンズメータで測定されるであろう。レンズは、製造されたレンズの測定された円柱度数および製造されたレンズの円柱度数が、たとえば０．０２５Ｄなど、０．０１Ｄ〜０．０８Ｄの間のカスタム公差レベル内にある場合にのみ、顧客に配送されるであろう。レンズは、製造されたレンズの測定された円柱度数と測定ステーションで測定された円柱度数との間の差がカスタム公差レベル内になければ、２つの表面のうち少なくとも１つを表面加工することによって再加工されるであろう。
【００７３】
本開示の別の実施形態では、高精密眼鏡レンズを作るための閉ループプロセスは、ａ）球面焦点度数、円柱度数、およびオプションの円柱軸、ならびに球面収差を備える矯正データ（いくつかの実施形態では処方箋）を得るステップと、ｂ）得られた屈折処方箋および眼科用レンズを作るために用いられる材料に基づいてレンズについての所望の表面プロファイルを判断するステップと、ｃ）光学片または部分的に加工された光学的要素の形態の構成要素を製造システムに装着して、判断された表面プロファイルに従って構成要素の少なくとも１つの表面プロファイルを変更するステップと、ｄ）レンズメータを用いて、変更された構成要素の屈折性を測定するステップと、ｆ）得られた矯正データおよび変更された構成要素の測定された屈折データから、製造されたレンズの残留誤差を算出するステップと、ｅ）製造されたレンズの残留誤差が、たとえば０．０２５Ｄなど、０．０１Ｄ〜０．０８Ｄの間のカスタム公差内に入るまで、算出された残留誤差に基づいて構成要素の少なくとも１つの表面プロファイルをさらに変更するステップとを備える。
【００７４】
乱視のない屈折矯正をプレビューするための方法
他覚的波面屈折計が目の円柱度数および円柱軸の精密な測定を与えるとしても、円柱矯正のためにレンズを作る前に円柱矯正をプレビューすることが依然として好ましい。
【００７５】
フォロプターは、目の球面焦点度数、円柱度数、および円柱軸の自覚的判断のために視力測定事務所で通常用いられる装置である。屈折矯正のための円柱度数の差は、０．２５Ｄという分解能によって限定される一方で、円柱軸の差は約５度という分解能によって設定される。フォロプターの円柱軸は、視力測定の実務で他覚的屈折に精密に関係したことがない。したがって、先行技術の従来のフォロプターは高品位屈折矯正には適していない。
【００７６】
図６は、本発明に従う目の乱視のない屈折矯正をプレビューするための方法を示す。１つの実施形態では、本発明に従う目の乱視のない屈折矯正をプレビューするための方法は、ａ）他覚的屈折計から目の屈折矯正の矯正データを得るステップ６０を備え、他覚的屈折計は目の瞳孔両端の波面スロープを測定し、かつ（０．２５Ｄよりも微細な分解能で）目の円柱度数、円柱軸、オプションの球面収差、および球面焦点度数の大まかな推定を精密に判断し、プレビュー方法はさらに、ｂ）判断された円柱度数および円柱軸をフォロプターにダイヤル入力（dialing-in）するステップ６１を備え、円柱パラメータは０．２５Ｄよりも微細な分解能で精密に制御され、プレビュー方法はさらに、ｃ）球面焦点度数を複数の値に設定し、かつフォロプターを通して自覚的に目の視力を測定するステップ６２と、ｄ）遠点で目の調節を設定する、最適化された焦点度数を自覚的に判断するステップ６３と、ｅ）自覚的に判断された焦点度数ならびに他覚的に判断された円柱度数および円柱軸に基づいて、プレビューされている最良の矯正視力を判断し、屈折処方箋を提供するステップ６４とを備える。
【００７７】
目の屈折誤差を測定するための改良されたフォロプター
上述の方法に従う乱視のない屈折矯正をプレビューする方法は、波面収差計を装備したフォロプターを用いて達成されてもよい。１つの実施形態では、そのような高度なフォロプターは、目の収差の即時のかつ他覚的な測定を提供するための波面検知モジュールと、たとえば０．０２５Ｄなどの０．２５Ｄよりも微細な分解能で、少なくとも焦点誤差、円柱軸、および円柱度数を含む測定された収差を表示するための出力モジュールと、目の収差を測定するための位置に波面収差計を移動させるため、および目の他の測定のために目の光軸から離れるように波面収差計を移動させるための機械的機構と、複数の球面レンズおよび円柱レンズを用いて目の自覚的屈折を行なうためのフォロプターモジュールとを備え、フォロプターモジュールは、球面収差およびコマなどの高次収差を矯正しないことがあり、さらにそのような高度なフォロプターは、乱視のない視覚矯正が達成されるように波面収差計の出力装置から得られる円柱度数および円柱軸をダイヤル入力するためのフォロプターモジュール中の機構を備える。波面モジュールは、目のすべての収差も測定し、目の測定された収差から導出される画像メトリックを提供するであろう。
【００７８】
設計により、先行技術の従来のフォロプターは乱視のない屈折矯正に向いていない。改良されたフォロプターは、フォロプターの円柱軸を他覚的屈折計中の目の向きに関係させ、０．２５Ｄよりもはるかに微細な分解能の円柱度数を制御するという課題に対処しなければならない。
【００７９】
図７は、本発明に従う目の自覚的屈折を可能にするように測定ステーション中に含むための改良されたフォロプターを示す。位置合わせマーク７２が患者の顔の上に置かれる。目の他覚的屈折は、整列マーク７２に関するその円柱軸を用いて得ることができる。同じ目がフォロプターの背後に置かれると、フォロプターの円柱軸を別の測定における目の向きに関係させるための位置合わせマークの隣にフォロプターからの光線７１を置くことができる。
【００８０】
フォロプターの円柱軸を他覚的屈折計中の目の向きに関係させることは、機械的装置、光線、投影された画像、または画像装置の助けを用いることに係ってもよい。フォロプターの円柱軸を他覚的屈折計中の目の円柱軸に関係させることは、フォロプターに取付けられる整列マーク７１などの固定された向きを、患者の顔の上のまたは目の中の位置合わせマーク７２などの目の向きと比較することに係ってもよい。フォロプターの円柱軸を他覚的屈折計中の目の円柱軸に関係させることは、患者の顔の上のまたは目の中の位置合わせマーク７２によって特定される目の向きに一致するように、フォロプターに取付けられる整列マーク７１などの向きを調整することと、フォロプターに取付けられた整列マークへの角度付けられたオフセットを調整から判断することとに係ってもよい。
【００８１】
測定ステーションに関連付けられる改良されたフォロプターはさらに、円柱軸７３の手動制御の代わりに、その円柱軸のデジタル制御および表示を含む。デジタル制御は円柱軸の電動制御を用いて達成されてもよい。
【００８２】
改良されたフォロプターはさらに、従来のフォロプターのように０．２５Ｄ毎の代わりに連続的に円柱矯正を達成するための機構を含むことができる。
【００８３】
改良されたフォロプターは、複数の位相板または非球面表面プロファイルを有する複数のレンズを用いて目の球面収差の屈折矯正を達成するための機構を含むことができる。
【００８４】
別の実施形態では、目の自覚的屈折のための改良されたフォロプターは、手動で円柱度数および円柱軸を入力するためまたは向上した効率および精度のために他覚的屈折計から屈折データをインポートするための機構を含む。そのようなフォロプターが図８に示され、ａ）目の焦点ぼけの矯正のための複数の球面レンズと、ｂ）目の乱視の矯正のための複数の円柱レンズと、ｃ）他覚的屈折計から屈折データをインポートするための機構８１とを備える。
【００８５】
目の屈折矯正のための改良された他覚的屈折計
従来の波面収差計は高精度で円柱誤差を判断するが、乱視のない屈折矯正には十分でない。これは、従来の波面収差計が目をその調節遠点に設定するための球面焦点度数の信頼性ある測定を提供せず、かつ他覚的屈折計において測定される円柱軸を自覚的屈折または眼科用レンズのためのフォロプター中の円柱軸に精密にリンクさせる機構を含有しないからである。
【００８６】
図９は、屈折矯正のための改良された他覚的屈折計システムを示す。システムは、自覚的応答全くなしに、少なくとも円柱度数、円柱軸、および球面焦点誤差を含む目の屈折誤差を測定するための他覚的屈折装置９０と、他覚的屈折装置において予め定められた方向に目の向きを整列させるためまたは他覚的屈折の際に目の外表面の向きを記録するための機構９２とを備える。
【００８７】
１つの実施形態では、他覚的屈折装置９０は、目の瞳孔両端での波面スロープを測定する他覚的収差計である。波面収差計は、記憶素子９１に、目の少なくとも球面焦点度数、円柱度数、円柱軸、およびオプションの球面収差を与える。焦点度数およびオプションの球面収差はそれぞれ出力装置９５および９４で入手可能である。
【００８８】
１つの実施形態の目の向きを整列させるまたは記録するための機構９２は、他覚的屈折装置において目の相対的な向きを予め定められた方向に変更できるようにするとともに、屈折装置と検査中の目との間の相対的な向きをセットアップするための視覚的補助を与える。記憶素子９１中のデータと組合せて、他覚的屈折計システムは、出力装置９３中の整列マークまたは記録された画像に対して円柱度数および円柱軸を出力することができる。
【００８９】
１つの実施形態の目の顔の向きを整列させるまたは記録するための機構９２は、人の顔の少なくとも一部を記録するのにデジタルカメラを用いる。人の顔は、屈折素子を有しない眼鏡レンズのためのフレームの形態で（測定ステーションを介して）コンピュータで生成される整列マークを含んでもよい。
【００９０】
別の実施形態では、他覚的屈折装置はさらに、全波収差に基づく目の全波収差９６および視覚診断９８と、屈折矯正からのデータと、残留波面収差９７とを与えることができ、屈折矯正は、球面焦点度数、円柱度数、円柱軸、およびオプションの球面収差を含む。
【００９１】
屈折矯正のための改良された顕性屈折
本開示に従う測定ステーションの一部として提供される改良されたフォロプターおよび波面収差計を用いて、乱視のないカスタマイズされた屈折矯正のための顕性屈折の改良された方法が提供される。方法は以下のステップを備える。第１に、人工的な位置合わせマークが人の顔の上に置かれる。第２に、他覚的屈折計を用いて、目の焦点誤差、円柱度数、および円柱軸の他覚的推定が得られる。他覚的屈折からの焦点度数は０．２５Ｄという分解能を有し、円柱度数は、たとえば０．０１Ｄまたは０．０２５Ｄなど、０．２５Ｄよりも微細な分解能を有する。他覚的屈折計は好ましくは波面収差計である。第３に、顔の上に置かれる人工的マークに基づいて、他覚的屈折計に対する目の向きの情報が記憶される。第４に、フォロプターを用いて自覚的屈折を行なう前に、目の記憶される向き情報に基づいて、フォロプター中の検査対象の目が整列されるかまたはチェックされる。第５に、測定ステーションは、他覚的屈折計からの得られた円柱度数および円柱軸を一致させる円柱矯正をダイヤル入力する。第６に、ステーションによって、ダイヤル入力された円柱矯正に加えて複数の球面矯正が患者に提示される。改定された焦点度数は他覚的に測定された焦点誤差に対する改良として得られて、遠見のための目の最適化された矯正を与える。第７に、他覚的に判断された円柱屈折度数および軸と自覚的に改定された焦点度数とを組合せることによって、眼科用レンズの製造のための屈折矯正データが生成される。
【００９２】
人の目の遠隔測定および自覚的測定のための屈折系
図１０ａは、目の屈折誤差の遠隔測定のための例示的な自覚的システム１０００の概略図を示す。１つの実施形態では、自覚的システム１０００は、１）球面焦点、円柱度数および円柱角を有する乱視を含む目の屈折データを得ることができるデータエントリモジュール１０１１と、２）データエントリモジュール１０１１からインポートされる乱視の矯正のために構成される乱視モジュール１０１２と、３）近視、遠視、および老眼の自覚的判断のために複数の焦点度数を与えるための球面モジュール１０１３と、４）球面モジュール１０１３の調整のために球面モジュール１０１３に接続される手動制御モジュール１０１４と、５）焦点度数の手動のかつ増分の調整のための手動制御モジュール１０１４を可能化しかつインポートされた乱視データを乱視モジュール１０１２が自動的にダイヤル入力できるように構成されるコントローラ１０１５とを含み、コントローラ１０１５は制御盤およびデジタルプロセッサを含み、自覚的システム１０００はさらに、６）印刷、表示、またはエクスポートの形態で屈折処方箋を提示するように構成される出力モジュール１０１６と、７）通信ネットワーク接続１０１８を通じてシステムから離れた場所で屈折系を制御するように構成される遠隔制御のモジュール１０１７とを含む。いくつかの実施形態では、手動制御モジュール１０１４は、自動調整のために患者にアクセス可能であるように構成される。焦点度数の増分調整の量は０．２５Ｄまたは０．１２５Ｄであってもよく、焦点度数は増減可能である。
【００９３】
検査者によるすべての３つの独立したパラメータ（球面度数１０２１、円柱度数１０２２、および円柱角１０２３）の自覚的最適化のために設計される、図１０ｂに示される伝統的なフォロプターとは異なり、本開示のシステムは球面度数のみの自覚的最適化を可能にする。自覚的屈折プロセスにおける３つの独立したパラメータのうち２つを排除することは、検査時間を劇的に短縮するだけでなく、眼鏡の最終処方箋を一意にしかつ検査者から独立させる。伝統的な自覚的屈折では、すべての３つのパラメータが視力に対して同時に影響するので、同じ視力を生じることができる焦点度数と、円柱度数と、円柱角との可能な組合せが多数存在する。したがって、個々の検査者の技能および経験によって、患者にとっての最も良好に矯正された視力および視覚品質が決まる。
【００９４】
本開示のシステムは、自覚的屈折の前に目のわかっている乱視に依拠する。乱視、球面収差、およびコマを含む目のすべての収差は、目のための波面センサから他覚的に判断可能であることが周知である。目の乱視（円柱度数および円柱軸）は、波面測定から得られるすべての収差から目の網膜像品質を他覚的に最適化することによって精密に判断することができる。１つの局面では、乱視の判断は他覚的であり、これは検査者の技能および経験に依存せず、かつ自覚的屈折における患者のフィードバックの品質に依存しない。別の局面では、他覚的最適化はコンピュータで行なわれるので、波面センサから得られる乱視は自覚的屈折からの乱視よりもはるかに正確であることがある。また別の局面では、波面センサから目の乱視を判断する精度は約０．０５Ｄであり、これは自覚的屈折における０．２５Ｄよりもはるかに微細である。また別の局面では、乱視の矯正のために、本開示のデータエントリモジュールは、先行技術における従来のフォロプターの場合の０．２５Ｄの手動のかつ増分の調整によってもはや制限されず、これは０．０１Ｄ程度に微細な円柱度数のインポートを可能にする。したがって、本方法およびシステムにおける円柱矯正の精密さおよび分解能は従来のフォロプターの場合よりもはるかに微細である。
【００９５】
１つの実施形態の図１０ａのデータエントリモジュール１０１１は、キーボード、マウス、ポインティングデバイス、またはタッチ画面などの手動インポート装置を用いて達成可能である。他の実施形態でのデータエントリモジュール１０１１へのデータエントリは、記憶装置からの目の屈折データを含有する電子ファイル、遠隔コンピュータシステム中のファイル、またはネットワーク接続からのファイルを読出すことによっても達成可能である。このファイルは、履歴的測定の患者記録から、またはレンズメータを用いて既存の眼鏡を測定することによって得ることもできる。
【００９６】
目の乱視が一旦精密に判断されてシステムに入力されると、乱視モジュール１０１２は、組合せられたレンズについての円柱度数および円柱角に対する手動のかつ増分の調整が排除されるように構成される。円柱度数および円柱角のこの排除は従来のフォロプターとは全く異なっている。
【００９７】
本開示の自覚的屈折系は目の高速で精密なかつ一意の処方箋を提供するので、これをインターネットなどのネットワークを通じた遠隔測定のために構成することができる。遠隔制御システムは、１）遠隔データエントリと、２）球面モジュール１０１３の遠隔調整と、３）検査場所にいる患者と検査場所にある屈折系から離れた検査者との間の遠隔音声／映像通信と、の機能を提供する。１つの実施形態では、電子ネットワーク１０１８を通して屈折系に接続される遠隔制御のモジュール１０１７は、ｉ）データエントリおよび転送のためのデータモジュールを含むことができる球面度数の遠隔制御１０１７ａと、ii）人の被検者と検査者との間の音声通信のためのモジュール１０１７ｂと、iii）屈折プロセスのリアルタイムモニタのためまたは患者と検査者との間の通信のための映像通信のためのモジュール１０１７ｃと、のうち少なくとも１つを含む。
【００９８】
また別の局面では、伝統的なフォロプターとは異なり、本開示の自覚的システムからの屈折処方箋は、球面モジュール中のレンズの異なる設定についての自覚的応答に基づく球面度数と、自覚的屈折によって最適化されない円柱度数および円柱角とを含む。
【００９９】
本開示の自覚的システムは、人の被検者の２つの目を試験するために、乱視モジュール１０１２が２つの独立した乱視モジュールを含み、かつ球面モジュール１０１３が２つの独立した球面モジュールを含むようにさらに構成可能である。自覚的システムは、２つの目の間のプリズムオフセットの測定のためのプリズムモジュール１０１９も含むことができる。
【０１００】
１つの局面では、本開示の自覚的システムは移動動作のための運搬システムでさらに構成される。運搬システムは、たとえば、屈折関連のシステムおよび装置をセットアップするのに十分大きなバンまたは車両であってもよい。
【０１０１】
別の局面では、本開示の自覚的システムは、個人から支払情報および配送情報を受付ける、および／または眼鏡もしくはサングラス用のフレームの情報を受信する１つ以上の入力モジュール１０２０でさらに構成可能である。入力モジュール１０２０は、選択されたフレームを着用したまたは着用していない人の被検者の写真を撮るカメラとしても構成されてもよい。
【０１０２】
人の目の遠隔測定および他覚的測定のための屈折系
人の目のための波面センサは、患者からの自覚的フィードバックまたは検査者からの自覚的介入全くなしに目のすべての収差を測定するので、他覚的システムである。本開示では、眼鏡およびサングラスの処方箋のための人の目の遠隔測定のための波面センサが記載される。
【０１０３】
図１１ａは、いくつかの実施形態に従う目の屈折誤差の遠隔測定のための例示的な他覚的システム１１００の概略図を示す。システム１１００は、１）目の網膜にコンパクトな画像を発生するように構成される光源１１２１と、２）網膜から、目から離れた測定平面への反射光による目から現われる波面を再生する光学リレー１１２２と、３）波面サンプリング装置および波面サンプリング装置を通過する波面の画像を記録するデジタル画像モジュールまたは装置を含む測定平面にある波面センサ１１２３と、４）１回で一連の波面測定を取るように構成されるデジタルプロセッサ１１２４と、５）波面センサ１１２３中の波面サンプリング装置のサンプリング点の自動検出を用いて波面画像を表示するための表示モジュール１１２５と、６）１つ以上の波面測定を受付けるまたは拒絶するためのリアルタイム測定介入モジュール１１２６と、７）複数の受付けられた測定からの統計的分析に基づいて球面度数および乱視（円柱度数および円柱角）を算出するためのデータ併合モジュール１１２７と、８）焦点度数、円柱度数、および円柱角を含む屈折処方箋を通信するように構成される出力モジュール１１２８と、９）波面システムから離れた場所にいる検査者が波面システム１１００を動作できるようにする遠隔制御のモジュール１１２９と、１０）運動制御を有する目位置決めのためのモジュール１１３０とを含む。
【０１０４】
人の目の収差は静的でなく、涙液膜の変化、瞳孔の大きさのばらつき、および調節の微細な変動によって刻一刻と変化することが周知である。眼鏡の処方箋のため、ある期間にわたる目の多数の波面測定に基づいて、１組の焦点度数、円柱度数、および円柱角が与えられる。図１１ｂに示されるように収差計１１５０としても公知の先行技術における目のための従来の波面センサとは異なり、本開示の波面センサは眼鏡の処方箋のために特定的に設計される。
【０１０５】
表１：目のための波面システムの比較
【０１０６】
【表１】
2016500024.tif 000005
【０１０７】
表１は、技術分野で公知の収差計と本波面屈折系との間の根本的な相違を示す。眼鏡のための１組の屈折データを得るために、数秒間にわたってなど、目の収差の複数の測定を一度に取る。データの検証は、分析結果とともに波面画像から見ることができる良好な測定を受付けかつ欠陥のある測定を排除することによって行なわれる。各々の受付けられた測定についての屈折データを判断し、複数の受付けられた測定から球面度数と乱視（円柱度数および円柱角）とが併合された屈折データを発生する。当該技術分野で公知の従来の波面センサとは異なり、眼鏡のための本波面屈折系の出力は、球面度数と、円柱度数および円柱軸を有する乱視とのみを含有する。
【０１０８】
１つの実施形態では、波面システム１１００は、一度に一連の波面測定を取るように構成され、これは、ａ）波面センサの複数の波面画像をメモリユニットに格納することと、ｂ）波面センサのサンプリング点の自動検出を行なうことと、ｃ）目の瞳孔両端で波面スロープを算出することと、ｄ）少なくとも焦点誤差、乱視、および球面収差を含む目の波面収差を判断することと、ｅ）波面センサのサンプリング点の自動検出を有する波面画像を表示すること（たとえば表示モジュール１１２５）と、に係る。ステップ（ｂ）−（ｄ）（すなわち行なう、算出する、および判断する）は、デジタルプロセッサ１１２４によって実施されてもよい。本システムのリアルタイム測定介入モジュール１１２６は、検査者または他の有資格光学専門家が複数の波面測定を検証しかつ受付けるのを可能にするように構成される。１つの実施形態では、リアルタイム測定介入モジュール１１２６は、ｉ）画像分析の自動識別における誤差と、ii）波面測定についての不十分な瞳孔の大きさと、iii）涙液膜または瞬きによる波面センサの劣った画像品質とにより一連の波面測定中の無効な測定を拒絶するための入力を検査者が送信できるようにするポインティングデバイスを備える。データ併合モジュール１１２７は、測定介入モジュール１１２６を通じて与えられる、受付けられた測定からの統計的分析に基づいて球面度数および乱視（円柱度数および円柱角）を算出するように構成される。
【０１０９】
先行技術の収差計とは異なり、本開示の波面システムは、波面システムから離れた場所にいる検査者が動作することができるような遠隔動作のためにさらに構成される。遠隔制御モジュール１１２９は、ｉ）波面センサ１１２３のためのデジタルプロセッサ１１２４と波面システム１１００から離れた制御システム１１３１との間のデータ通信、およびii）検査場所にいる患者と波面センサ１１２３から離れた検査者との間の遠隔音声１１３２／映像１１３３通信のために用いられる。１つの実施形態では、電子ネットワーク１１３４を通じて波面センサ１１２３に接続される遠隔制御のモジュール１１２９は、１）データエントリおよび転送のためのデータモジュール１１３１と、２）人の被検者と検査者との間の音声通信のためのモジュール１１３２と、３）屈折プロセスのリアルタイムモニタのためまたは患者と検査者との間の通信のための映像モジュール１１３３とのうち少なくとも１つを備える。
【０１１０】
本開示の波面システムは、電動式目位置決めシステムのためのモジュール１１３０を含むようにさらに構成される。１つの実施形態では、電動式目位置決めシステムは、ヘッドレストと、ヘッドセットを複数の位置に位置決めするための運動制御システムと、目の位置のリアルタイムモニタのためのカメラシステムと、デジタルコンピュータ１１２４によって制御される運動制御システムとを含む。いくつかの実施形態では、カメラシステムは、目とシステムの光軸との間の相対的位置をモニタする。
【０１１１】
波面システムの出力モジュール１１２８は、印刷、表示、またはエクスポートの形態で屈折処方箋を転送するためのデータ通信モジュールを含むようにさらに構成されてもよい。１つの実施形態では、データ通信は、ａ）記憶装置中に処方箋のファイルを生成することと、ｂ）処方箋のファイルをネットワーク通信を通じて別の装置に送ることと、ｃ）屈折データおよびいくつかの実施形態では患者情報をフォロプターに通信することと、のうち少なくとも１つを含む。
【０１１２】
また別の実施形態では、波面センサを、焦点度数ならびに円柱度数および円柱角を有する乱視の他覚的測定を生成する任意の他覚的屈折装置に一般化することができる。
【０１１３】
図１２は、実施形態に従うそのような一般化されたシステム１２００についての概略図を示す。システム１２００は、１）ヘッドレスト、複数の位置にヘッドレストを位置決めするための運動制御システム、および目と屈折系の光軸との間の相対的位置のリアルタイムモニタのためのカメラシステムを含んでもよい運動制御（たとえば電動式）目位置決めのためのモジュール１２３１と、２）円柱度数、円柱角、および球面度数を含む目の屈折誤差を測定するための他覚的屈折装置１２３２と、３）目位置決めモジュール１２３１および他覚的屈折装置１２３２の制御のために構成されるデジタルプロセッサ１２３３と、４）複数の測定１２３５の結果を表示するための表示モジュール１２３４と、５）球面度数ならびに円柱度数および円柱角を有する乱視を含む１組の屈折データを生成するためのデータ併合モジュール１２３６と、６）電子ネットワーク１２３８を通して屈折系に接続される屈折系から離れたデジタルプロセッサ１２３３を検査官が遠隔に制御する遠隔制御のモジュール１２３７と、７）印刷、表示、またはエクスポートの形態で屈折処方箋を提示するように構成される出力モジュール１２３９とを含む。他覚的屈折装置１２３２および電動式目位置決め装置１２３１は、遠隔制御のモジュール１２３７による遠隔アクセスを有する。
【０１１４】
人の目の屈折誤差の遠隔測定のための集積されたシステム
図１１ａまたは図１２の他覚的システムを図１０ａの自覚的システムと組合せると、人の目の屈折誤差の遠隔測定のためのより有効な集積されたシステムを生じる。図１３は、そのような集積されたシステム１３００の例示的な概略図を示す。
【０１１５】
集積されたシステム１３００は、１）目の屈折誤差の他覚的測定のための目のための波面センサモジュール１３４１と、２）波面センサモジュール１３４１からの判断された乱視および球面度数の自覚的判断の矯正のための屈折矯正モジュール１３４２と、３）ヘッドレスト、複数の位置でヘッドレストを位置決めするための運動制御システム、および目の位置のリアルタイムモニタのためのカメラシステムを含む、電動式目位置決めのためのモジュール１３４３と、４）屈折矯正モジュール１３４２、頭位置モジュール１３４３、および波面センサモジュール１３４１の制御のために構成されるデジタルプロセッサ１３４４と、５）デジタルプロセッサ１３４４のための表示モジュール１３４５と、６）印刷、表示、またはエクスポートの形態で屈折処方箋を提示するように構成される出力モジュール１３４６と、７）検査者が屈折系から離れたデジタルコンピュータを遠隔に制御する遠隔制御のモジュール１３４７とを含む。遠隔制御のモジュール１３４７は電子ネットワーク１３４８を通じて屈折系１３０１に接続され、ｉ）データエントリおよび転送のためのデータモジュールを含むデジタルプロセッサ１３４４のための遠隔アクセス１３４７ａと、ii）人の被検者と検査者との間の音声通信のためのモジュール１３４７ｂと、iii）屈折プロセスのリアルタイムモニタのためのまたは患者と検査者との間の通信のための映像モジュール１３４７ｃと、のうち少なくとも１つを含む。
【０１１６】
１つの実施形態では、波面センサモジュール１３４１は、１）目の網膜にコンパクトな画像を発生するように構成される光源と、２）網膜から、目から離れた測定平面への反射光による、目から現われる波面を再生する光学リレーと、３）波面サンプリング装置および波面サンプリング装置を通過する波面の画像を記録するデジタル画像モジュールを含む測定平面にある波面センサとを含む。デジタルプロセッサ１３４４は、波面センサ１３４１についてデータ分析を行なう。いくつかの実施形態では、光源は、網膜にコンパクトな画像を発生するように構成され、ここで、網膜からの反射光が、網膜の反射から目の角膜の前で外に出ていく波面を生成する。
【０１１７】
デジタルプロセッサ１３４４は一度に一連の波面測定を取り、これは、ａ）複数の波面画像をメモリユニットに格納することと、ｂ）波面センサのサンプリング点の自動検出を行なうことと、ｃ）目の瞳孔両端で波面スロープを算出することと、ｄ）少なくとも焦点誤差、乱視、および球面収差を含む目の波面収差を判断することとに係る。
【０１１８】
屈折矯正モジュール１３４２は乱視モジュールおよび球面モジュールを含む。乱視モジュールは、乱視モジュールに対する手動のかつ増分の調整が排除され、かつ円柱度数および円柱角の両方を含む乱視矯正が個人の各々の目からの得られた他覚的測定に基づいて自動的に制御されるように構成される。屈折矯正モジュール１３４２の球面モジュールは、屈折矯正モジュールの球面度数についての手動のかつ増分の調整のために構成される。いくつかの実施形態では、円柱レンズの選択および配置は、デジタルプロセッサ／コンピュータおよび波面センサから得られる乱視によって決まる。
【０１１９】
インターネット上で眼鏡を配送するためのＥコマース方法
今日の眼鏡業界では、各々の店舗場所で販売される眼鏡が平均で約３つであっても、アメリカ合衆国では少なくとも１人の検眼士、またはある国では１人の眼鏡業者が１つの店舗場所にいる必要がある。これは眼鏡業界にとっての多くの問題に繋がる。第１に、１つの店舗に１人の検査者−すなわち検眼士または眼鏡業者を有することは無駄であり、ビジネスにとって高価である。なぜなら、特定の日に眼鏡が売れなければ、検眼士または眼鏡業者は目の検査を全く行なわないことがあるからである。第２に、検眼士（眼鏡業者）の技能および経験は人によって異なる。低品質の検眼士が目を検査すると、視力の矯正が劣ってしまう。複雑なシナリオの目については、検眼士の経験が少ないまたは技能が劣る場合、１店舗に検眼士が１人では、セカンドオピニオンを得るのが困難になってしまう。第３に、眼鏡のフランチャイズ店舗については、品質の均一な管理が存在しない。なぜなら、人の目の屈折は経験的でありかつ検査者に依存するものであり、定量的に標準化することができないからである。
【０１２０】
これらの問題により、単焦点眼鏡については約２００ＵＳドル〜７００ＵＳドル、およびプログレッシブ眼鏡については４００ＵＳドル〜１０００ＵＳドルなど、眼鏡が高価になってしまい、かつ新しい眼鏡を誂えた多数の顧客が不満に思ってしまう。
【０１２１】
視力矯正の非効率および劣った品質という課題に対処するため、本開示では、眼鏡を配送するためのｅコマースシステムおよび方法を記載する。第１に、図１４では、個人の目の屈折誤差の遠隔測定のために構成される測定ステーション１４５１が異なる地理的場所に広まった店舗に置かれる。いくつかの実施形態では、単一の場所に１つの測定ステーション１４５１が存在することがある一方で、他の実施形態では、さまざまな地理的場所に１つよりも多くの測定ステーション１４５１が存在することがある。これらの測定ステーション１４５１はインターネット接続などのネットワーク１４５５に接続される。第２に、１人以上の有資格検査者は、店舗にある測定ステーションから離れた集中屈折センター１４５２に編成され、検査者は個人の目の屈折誤差の測定を行なう。１人の検査者が多数の店舗で測定ステーションを動作することができ、複雑な状況では１人の患者のための処方箋データを多数の検査者が判断するように寄与することができる。第３に、矯正データが生成されて、ネットワーク１４５５を通じて製造センターまたは設備１４５３に送信される。いくつかの実施形態では、製造センター１４５３は集中設備であってもよい一方で、他の実施形態では、製造センター１４５３は１つよりも多くの設備を含むことができる。矯正データは、円柱度数および円柱角を有する乱視ならびに球面度数を含み、それらは個人の２つの目の間の瞳孔距離と、眼鏡用のフレームのデータ（すなわち眼鏡フレームのためのデジタルシステム）１４５４と、眼鏡店舗および個々の患者の配送情報とをさらに含むことができる。第４に、眼鏡は送信されたデータに基づいて製造設備１４５３で製造されかつ組立てられる。第５に、製造された眼鏡は、ネットワーク１４５５から受信した配送情報に基づいて、製造センター１４５３から個人または眼鏡店１４５１へ配送される。
【０１２２】
ｅコマース方策は多数の利点を有する。第１に、これは非効率の問題を解決する。なぜなら、中央検査センター１４５２にいる１人の光学検査者（たとえば検眼士または眼鏡業者）が多数の店舗で屈折系を動作することができるからである。第２に、これは均一品質管理の問題を解決する。なぜなら、屈折データは、ローカル店舗の１人の検査者によってではなく、むしろ工程管理のために厳しい規則下にある集中設備にいる検査者によって生成されるからである。複雑なシナリオでは、１つの集中設備にいる一群の検眼士によって専門家意見を形成することができる。店舗毎の不平等の問題を解決することにより、眼鏡のフランチャイズビジネスをはるかにより効果的に構築することができる。第３に、このｅコマース方策は、オンラインに基づくビジネスのための道を開く。なぜなら、すべてのデータがデジタルで処理され、かつデジタルカスタム眼鏡を低コストで顧客に配送することができるからである。最後に、本方法を用いて効率およびカスタム満足度を向上させると、よりよいかつより安価な眼鏡を得ることができる。
【０１２３】
個人の目の屈折誤差の遠隔測定のための測定ステーションは、１）図１１ａに記載のもののような他覚的装置を用いて個人の各々の目の屈折誤差の他覚的測定を得て、２）図１０ａに記載のような自覚的システムを用いて目の球面度数を判断し、３）他覚的測定からの乱視および自覚的システムからの球面度数に基づいて屈折矯正を生成し、かつ４）電子接続を通した音声および映像通信に基づいて検査者と患者との間の通信を提供する、ように構成される。たとえば、他覚的屈折装置は、目の球面度数の自覚的判断のためのフォロプターに結合されるように構成されるインターフェイスを含んでもよい。いくつかの実施形態では、各々の目の焦点度数は自覚的屈折を通して判断されてもよく、自覚的屈折は、複数の焦点度数に対する、視力表を読む際の個人からの自覚的応答、または検査者と個人との間のネットワーク通信に基づいて検査者によってなされた自覚的決定に基づいている。
【０１２４】
いくつかの実施形態では、遠隔測定ステーションは、図１０ａ、図１１ａ、図１２、図１３、および図１４に示されるシステムのうち１つまたはその組合せであることができる。
【０１２５】
１つの実施形態では、本開示に従う眼鏡店の店員は、法律または規定に従う目の屈折についての有資格検査者または認定検査者ではない−すなわち彼らは目の屈折についての検査者としては未認定である。代わりに、店員は、フレーム選択について顧客を助ける、個人から支払情報を受付ける、個人から配送情報を記録する。かつ選択されたフレーム内の瞳孔距離および瞳孔位置などの測定を取ることを担う。
【０１２６】
１つの実施形態では、遠隔測定ステーションはさらに、ネットワークに接続された電子システムからの眼鏡用フレームの選択を含み、フレームの選択は、個人の写真を撮るために用いられるカメラまたはデジタル画像化システムに係る。このように、デジタル画像化システムは、個人が、選択された眼鏡またはサングラスフレームを着用したおよび／または着用していない自身の画像を見られるようにする。
【０１２７】
また別の実施形態では、眼鏡を配送するためのｅコマース方法はフランチャイズビジネスのために構成され、ここでは異なる地理的場所にあるすべての眼鏡店が１つの標準化されたプロトコルを用いて、人の目を測定し、処方箋データを生成し、レンズを製造し、レンズをフレームに搭載し、かつ眼鏡を顧客に配送する。
【０１２８】
図１５は、図１４のシステムのための電子商取引方法の例示的な実施形態のフローチャート１５００を示す。ステップ１５１０で、個人の目の屈折誤差の遠隔測定のための測定ステーションが第１の地理的場所にある第１の眼鏡店に置かれ、測定ステーションはネットワークに接続される。いくつかの実施形態では、互いに異なる地理的場所にある眼鏡店に置かれた複数の測定ステーションが存在し得る。ステップ１５２０で、第１の眼鏡店から離れた集中設備にいる検査者によってネットワークを通じて個人の目の屈折誤差が判断される。この場合、検査者は、法律または規定に従う認定光学検査者である。ステップ１５３０で、眼鏡を作るための矯正データが生成され、矯正データは屈折誤差に基づいており、矯正データは球面度数ならびに円柱度数および円柱角を有する乱視を含む。矯正データは、個人の目の間の瞳孔距離と、眼鏡用フレームについてのデータと、眼鏡店のおよび／または個人の配送情報と、のうち１つ以上をさらに含むことができる。ステップ１５４０で、ネットワークを通じて矯正データが送信される。ステップ１５５０で、製造設備で眼鏡が製造され、製造は、ネットワークを通じて送信された矯正データに基づいている。ステップ１５６０で、ネットワークから受信した配送情報に基づいて、製造された眼鏡が個人または眼鏡店に配送される。
【０１２９】
具体的な実施形態について明細書を詳細に説明したが、当業者は、以上の理解を達成すると、これらの実施形態に対する変更例、その変形例、およびその均等物を容易に想到し得ることが認められる。これらおよび他の修正例および変形例は、添付の請求項中により特定的に述べられる本開示の範囲から逸脱することなく当業者によって実践されてもよい。さらに、当業者は、以上の説明が例示のみであり、開示を限定することを意図しないことを認めるであろう。
【図１ａ】
2016500024.tif 000006
【図１ｂ】
2016500024.tif 000007
【図２】
2016500024.tif 000008
【図３】
2016500024.tif 000009
【図４】
2016500024.tif 000010
【図５】
2016500024.tif 000011
【図６】
2016500024.tif 000012
【図８】
2016500024.tif 000013
【図９】
2016500024.tif 000014
【図１０ａ】
2016500024.tif 000015
【図１０ｂ】
2016500024.tif 000016
【図１１ａ】
2016500024.tif 000017
【図１１ｂ】
2016500024.tif 000018
【図１２】
2016500024.tif 000019
【図１３】
2016500024.tif 000020
【図１４】
2016500024.tif 000021
【図１５】
2016500024.tif 000022
【図７】
2016500024.tif 000023
【国際調査報告】
2016500024.tif 000024
2016500024.tif 000025
2016500024.tif 000026